(57)【要約】      （修正有）【課題】ポケット開口をスライドファスナーによって開閉するもので、迅速かつ容易に出し入れもできる衣服のポケット構造及び該ポケット構造に好適に用いることができるスライドファスナーを提供する。【解決手段】曲線の一部である開口線に沿った開口１０３を有するポケット構造であって、開口線を２の部分に分割する開口線上の１点である分割点１４と開口線の一端Ｚ１との間の開口の部分である開放部分Ｑは開放されると共に、分割点から開口線の他端Ｚ２方向との間に存する開口線上の１点又は開口線の他端である終点と、分割点と、を両端とする取付線に沿ってスライドファスナー１１が取り付けられることで開口１０３の一部が開閉自在にして、ポケットを形成する。【選択図】図３
0003160990.tif 000002
【実用新案登録請求の範囲】
【請求項１】
曲線の一部である開口線に沿った開口を有するポケット構造であって、
開口線を２の部分に分割する開口線上の１点である分割点と開口線の一端との間の開口の部分である開放部分は開放されると共に、分割点から開口線の他端方向との間に存する開口線上の１点又は開口線の他端である終点と、分割点と、を両端とする取付線に沿ってスライドファスナーが取り付けられることで開口の一部が開閉自在にされるものである、ポケット構造。
【請求項２】
スライドファスナーを開閉するスライダーがスライドファスナーを閉じる方向に開放部分が存するものである、請求項１に記載のポケット構造。
【請求項３】
スライドファスナーを閉じる方向に存し、それ以上のスライダーの移動を禁止するスライダー止めが開放型である、請求項２に記載のポケット構造。
【請求項４】
スライドファスナーを開閉するスライダーがスライドファスナーを開ける方向に開放部分が存するものである、請求項１に記載のポケット構造。
【請求項５】
前記終点が、分割点から開口線の他端方向との間に存し、
前記終点と開口線の他端との間の開口の部分も開放された開放部分である、請求項１乃至４のいずれか１に記載のポケット構造。
【請求項６】
開放部分の縁の少なくとも一部を覆うように取り付けられた補強部材をさらに備えるものである、請求項１乃至５のいずれか１に記載のポケット構造。
【請求項７】
開放部分の縁に沿った寸法が２〜６ｃｍである、請求項１乃至６のいずれか１に記載のポケット構造。
【請求項８】
スライドファスナーが開閉する開口から受け入れる収容物を収容する袋とは別の、開放部分から受け入れる収容物を収容する袋を有するものである、請求項１乃至７のいずれか１に記載のポケット構造。
【請求項９】
第１ファスナーテープと、
第２ファスナーテープと、
第１ファスナーテープの縁部と第２ファスナーテープの縁部とに跨って両縁部に沿って一方側と他方側との間を往復動することで両縁部を係合させ及び係合を解くスライダーと、
両縁部に沿った一方側に配設され、スライダーがさらに一方側に移動することを禁止する一方側止部と、
両縁部に沿った他方側に配設され、スライダーがさらに他方側に移動することを禁止する他方側止部と、を備えてなり、
第１ファスナーテープと第２ファスナーテープとの片方又は両方が、一方側止部よりも一方側に延長された一方側の延長縁部を有するものである、スライドファスナー。
【請求項１０】
スライダーが両縁部に沿って一方側に移動することで両縁部を係合させるものである、請求項９に記載のスライドファスナー。
【請求項１１】
一方側止部が、両縁部が分離可能な開放型である、請求項１０に記載のスライドファスナー。
【請求項１２】
スライダーが両縁部に沿って一方側に移動することで両縁部の係合を解くものである、請求項９に記載のスライドファスナー。
【請求項１３】
第１ファスナーテープと第２ファスナーテープとの片方又は両方が、他方側止部よりも他方側に延長された他方側の延長縁部を有するものである、請求項９乃至１２のいずれか１に記載のスライドファスナー。
【請求項１４】
延長縁部の少なくとも一部を覆うように取り付けられた補強部材をさらに備えるものである、請求項９乃至１３のいずれか１に記載のスライドファスナー。
【請求項１５】
一方側及び／又は他方側の延長縁部を、第１ファスナーテープと第２ファスナーテープとの片方のみが有するものである、請求項９乃至１４のいずれか１に記載のスライドファスナー。
【請求項１６】
一方側及び／又は他方側の延長縁部を、第１ファスナーテープと第２ファスナーテープとの両方が有するものであり、
該両方の延長縁部が、一方側止部及び他方側止部のいずれからも離れた位置において互いに固定されているものである、請求項９乃至１５のいずれか１に記載のスライドファスナー。
【請求項１７】
延長縁部の長さが２〜６ｃｍである、請求項９乃至１６のいずれか１に記載のスライドファスナー。
【請求項１８】
請求項１乃至８のいずれか１に記載のポケット構造を含んでなる衣服。
【請求項１９】
前記ポケット構造が胸ポケットに設けられるものである、請求項１８に記載の衣服。
【考案の詳細な説明】
【技術分野】
【０００１】
本考案は、ポケット構造及びスライドファスナーに関し、より詳細には、ポケットの開口に沿ってスライドファスナーが取り付けられ、スライドファスナーを開閉することができるポケット構造において、ペンや鉛筆等のような物を該ポケットに容易に挿入したり抜き出すことができるポケット構造及びそれに用いることができるスライドファスナーに関する。
【背景技術】
【０００２】
衣服は、着用された際、種々の物を収容するためにポケットが設けられることが多い（例えば、特許文献１参照）。
特許文献１の第１図には、「上下続き防寒防風防塵用衣料１は、人体の上半身を被覆する上衣と該人体の下半身を被覆するズボンとを一体化させ、該人体の胴体、腕、脚のそれぞれに対応する胴体被覆部３、腕被覆部４、脚被覆部５とから構成されている。この上下続き防寒防風防塵用衣料は、ナイロン製であり、着用する人体に対して胴回り、腕周り、脚周り等の周長が、着用する人体の通常の衣服のサイズよりひとまわり大きいサイズで形成されている」（特許文献１、発明の詳細な説明中、段落番号００１８）衣服が開示されている。
【０００３】
かかる特許文献１の衣服（胴体被覆部３の部分）には、該衣服の着用者の右胸の位置に胸ポケットが形成されている。この胸ポケットは、主表面が略長方形の布辺の３辺（該略長方形が有する４辺のうちの３辺）を縫いつけることで構成されており、ポケットの内部に収容した収容物が不意にポケットから脱出しないよう、縫いつけられていない上部に位置する１辺（該略長方形が有する４辺のうち縫いつけられた該３辺を除く１辺）に沿ってスライドファスナーが配設されている。このスライドファスナーは、該１辺に沿ってそれぞれ取り付けられた一対のファスナーテープの両縁部に跨って該両縁部に沿ってスライダーが往復動することで自由に該両縁部を係合させたり係合を解くことができる。このスライドファスナーの一対のファスナーテープの両縁部（係合が解かれた該両縁部）の間が、ポケットの内部と外部とを連絡する開口を形成する。一対のファスナーテープの両縁部の係合を解いて該開口を開放した状態では、該開口を経由して外部からポケット内部に物を挿入したり、該開口を経由してポケット内部に挿入された物を外部に取り出すことを自由に行うことができるが、該両縁部を係合させ該開口を封鎖した状態では、該開口を経由したこれら物の移動のいずれも禁止される。
以上のように、特許文献１の衣服では、スライドファスナーにより該開口を開閉することで、該開口を経由した物の移動を必要な場合には許容する（該開口を開）と共に、ポケットの内部に収容した物が不意に該開口から脱出しない（該開口を閉）ようにすることができる。
【先行技術文献】
【特許文献】
【０００４】
【特許文献１】特開平１０−１６８６１９号公報（例えば、要約、発明の詳細な説明の段落番号０００１〜０００７、００１８、第１図等）
【考案の概要】
【考案が解決しようとする課題】
【０００５】
特許文献１のようにポケットの開口をスライドファスナーによって開閉することで、該開口を経由した物の移動が必要な場合にはそれを許容し（スライドファスナー開）、該開口を経由した物の移動が不要な場合にはそれを禁止する（スライドファスナー閉）ことで、ポケットの内部に収容した物が不意に該開口から脱出しないようにすることができるが、その反面、ポケットに物を出し入れするにはスライドファスナーをその都度開閉する必要があることから、かかるポケットの構造においては迅速かつ容易にポケットに物を出し入れすることは難しい。とりわけ、頻繁にポケットに出し入れする必要がある物（例えば、作業において多用されるペンや鉛筆等のような筆記用具等）は、迅速かつ容易にポケットに出し入れできることが作業性向上等のため好ましい。
【０００６】
そこで、本考案では、ポケット開口をスライドファスナーによって開閉するもので、迅速かつ容易に出し入れもできる衣服のポケット構造及び該ポケット構造に好適に用いることができるスライドファスナーを提供することを目的とする。
【課題を解決するための手段】
【０００７】
本考案のポケット構造（以下、「本構造」という。）は、曲線の一部である開口線に沿った開口を有するポケット構造であって、開口線を２の部分に分割する開口線上の１点である分割点と開口線の一端との間の開口の部分である開放部分は開放されると共に、分割点から開口線の他端方向との間に存する開口線上の１点又は開口線の他端である終点と、分割点と、を両端とする取付線に沿ってスライドファスナーが取り付けられることで開口の一部が開閉自在にされるものである、ポケット構造である。
ここにいう「曲線」は直線を含む。
本構造は、曲線の一部である開口線に沿った開口を有するポケット構造であり、例えば、特許文献１開示の胸ポケットが有するポケット構造においては、前記布辺が有する縫いつけられていない上部に位置する１辺（該略長方形が有する４辺のうち縫いつけられた該３辺を除く１辺）がここにいう開口線に該当する。そして、本構造においては、スライドファスナーが開口線の一部である取付線に沿って取り付けられる。取付線は、開口線上にいずれも存する分割点と終点とを両端とする。分割点は、開口線を２の部分に分割する開口線上の１点である。そして、終点は、分割点から開口線の他端方向との間に存する開口線上の１点（即ち、分割点と開口線他端との間の開口線上の１点である。なお、分割点と開口線他端とのいずれも含まない。）又は開口線他端である（従って、終点としては、分割点よりも開口線他端方向に存する開口線上の１点である。なお、該１点には、分割点を含まず、開口線他端を含む。）。このような分割点と終点とを両端とする取付線に沿ってスライドファスナーが取り付けられることで開口の一部（スライドファスナーが配設された取付線の部分）が開閉自在にされると共に、分割点と開口線の一端（開口線の両端のうち開口線他端とは反対の端）との間の開口の部分は開放部分として開放される。このため本構造によれば、開口線に沿った開口のうち、開口線の一部の取付線（分割点と終点とを両端とする）に沿って取り付けられたスライドファスナーが閉じられても、分割点と開口線一端との間の開口の部分は常に開放部分として開放されているので、スライドファスナーを開閉することなくペンや鉛筆等のような筆記用具等のような多用する物を開放部分を経由してポケット内部に挿入したりポケット内部から抜き出すことができ、かかる物をポケットに迅速かつ容易に出し入れすることができる。
【０００８】
本構造においては、スライドファスナーを開閉するスライダーがスライドファスナーを閉じる方向に開放部分が存するもの（以下、「閉方向開放部分存在本構造」という。）であってもよい。
ペンや鉛筆等のような筆記用具等のような多用する物は、衣服着用者の体の中心近くに収容しておく方がポケット内部に挿入したりポケット内部から抜き出すことが迅速かつ容易に行える。このためこのような物を出し入れする開放部分を衣服着用者の体の中心近くに配置するようにするようにしてもよく、このように開放部分を衣服着用者の体中心側（例えば、本構造を胸ポケットに適用した場合であれば、衣服着用者のみぞおち側）に配置した場合であれば、ポケットが設けられた側とは反対側の手（例えば、ポケットが衣服着用者の中心よりも右側に配置される場合であれば左手であり、逆に、ポケットが衣服着用者の中心よりも左側に配置される場合であれば右手である。）によりスライダーを衣服着用者の体中心方向に引っ張ってファスナーを閉めることができ、スライドファスナーを開けるよりも通常大きな力を要する閉める動作を円滑かつ確実に行うことができる。
【０００９】
閉方向開放部分存在本構造の場合、スライドファスナーを閉じる方向に存し、それ以上のスライダーの移動を禁止するスライダー止めが開放型であってもよい。
スライドファスナーのスライダーは、第１ファスナーテープの縁部と第２ファスナーテープの縁部とに跨って両縁部に沿って一方側と他方側との間を往復動することで両縁部を係合させ（スライドファスナーを閉じる）及び係合を解く（スライドファスナーを開く）ものであるので、両縁部から脱落等しないように、スライドファスナーを閉じる方向（両縁部に沿った一方側又は他方側）のスライダーの移動限界位置（終端位置）にスライダー止めが配設されてもよい。スライダー止めは、スライダーがスライドファスナーを閉じる方向へそれ以上移動することを禁止するものであり、第１ファスナーテープの縁部と第２ファスナーテープの縁部との両縁部の少なくとも一方（無論、両方でもよい）に取り付けられ、スライダーに当接することでスライダーがさらに移動することを禁止するものが一般的である。
スライダーがスライドファスナーを閉じる方向に開放部分が存する閉方向開放部分存在本構造において、このようなスライダー止めが、スライドファスナーを閉じる方向（開放部分が存する方向）に存し、開放型（スライダー止めが、スライダー止め自身の位置において第１ファスナーテープの縁部と第２ファスナーテープの縁部との離合を許容する形態のもの）であれば、スライダーを開放部分が存する方向とは反対方向に移動させファスナーを開けると、ファスナーが開いて形成される開口と開放部分とが一体となって連続した大きな開口が形成されるのでポケットを便利に使用することができる。なお、開放型のスライダー止めとしては種々のものが知られているが、例えば、（ａ）第１ファスナーテープの縁部と第２ファスナーテープの縁部との一方のみに取り付けられる形態のものや、（ｂ）第１ファスナーテープの縁部に取り付けられる一縁部取付部分と、第２ファスナーテープの縁部に取り付けられ一縁部取付部分と分離した他縁部取付部分と、を含んでなる形態のもの等が例示できる。
【００１０】
本構造においては、スライドファスナーを開閉するスライダーがスライドファスナーを開ける方向に開放部分が存するものであってもよい。
ペンや鉛筆等のような筆記用具等のような多用する物は、衣服着用者の体の中心近くに収容しておく方がポケット内部に挿入したりポケット内部から抜き出すことが迅速かつ容易に行える。このためこのような物を出し入れする開放部分を衣服着用者の体の中心近くにもってくるようにするようにしてもよく、このように開放部分を衣服着用者の体中心側（例えば、本構造を胸ポケットに適用した場合であれば、衣服着用者のみぞおち側）に配置した場合に、ポケットが設けられた側とは反対側の手（例えば、ポケットが衣服着用者の中心よりも右側に配置される場合であれば左手であり、逆に、ポケットが衣服着用者の中心よりも左側に配置される場合であれば右手である。）が使用しにくい状況（例えば、オートバイに乗ったとき、左側の胸部分にポケットを設けたときには、その反対側の右手でアクセル操作をする必要があり、右手を使用できない。）では、ポケットが設けられた側の手により衣服着用者の側方に引っ張ってファスナーを閉めることができ、スライドファスナーを開けるよりも通常大きな力を要する閉める動作を円滑かつ確実に行うことができる。
【００１１】
本構造においては、前記終点が、分割点から開口線の他端方向との間に存し、前記終点と開口線の他端との間の開口の部分も開放された開放部分であってもよい。
本構造では、開口線を２の部分に分割する開口線上の１点である分割点と、開口線の一端と、の間の部分は開放部分として開放されるが、スライドファスナーが取り付けられる取付線（分割点と終点とを両端にする線）の終点が分割点から開口線の他端（開口線の両端のうち開口線一端とは反対の端）方向との間に存するようにすれば（分割点と開口線他端との間の点を終点とする。なお、この場合、終点は開口線他端と分割点とのいずれも含まない。）、終点と開口線他端との間にはスライドファスナーが取り付けられず、終点と開口線他端との間の部分も開放された開放部分とすることができる。こうすることで分割点と開口線一端との間の部分と、終点と開口線他端との間の部分と、の両部分を開放部分とすることができるので（即ち、スライドファスナーの両側に開放部分を設けることができる。）、スライドファスナーが閉じられても、スライドファスナーの両側が常に開放部分として開放されており、スライドファスナーを開閉することなくペンや鉛筆等のような筆記用具等のような多用する物をスライドファスナーの両側に存するいずれの開放部分からもポケット内部に挿入したりポケット内部から抜き出すことができ、かかる物をポケットに迅速かつ容易に出し入れすることができる。
【００１２】
本構造においては、開放部分の縁の少なくとも一部を覆うように取り付けられた補強部材をさらに備えるものであってもよい。
本構造では、スライドファスナーを開閉することなくペンや鉛筆等のような筆記用具等のような多用する物を開放部分を経由してポケット内部に挿入したりポケット内部から抜き出すので、ペンや鉛筆等のような筆記用具等のような多用する物によって開放部分の縁が擦られる。これによって開放部分の縁が擦り切れたり傷んだりすることがあるので、補強部材を開放部分の縁の少なくとも一部（無論、全部であってもよい）を覆うように取り付けるようにしてもよい。かかる補強部材としては、開放部分の縁の少なくとも一部を覆うものであればいかなるものであってもよく何ら限定されるものではないが、例えば、補強布、プラスチックシート、金属薄板等を例示することができる。
【００１３】
本構造においては、開放部分の縁に沿った寸法が２〜６ｃｍであってもよい。
本構造では、ペンや鉛筆等のような筆記用具等のような多用する物を開放部分を経由してポケット内部に挿入したりポケット内部から抜き出すので、開放部分の縁に沿った寸法（開口線に沿った開放部分の寸法）はあまり小さいとこれらの物がポケットに出し入れしにくく、逆にあまり大きいと不意にこれらの物が脱落しやすくなる。従って、開放部分を経由してポケット内部に挿入したりポケット内部から抜き出す対象物に応じ、これらの両方を満足させるように該寸法は定められればよいが、ペンや鉛筆等のような筆記用具等のような対象物であれば、開放部分の縁に沿った寸法は、好ましくは２ｃｍ以上、より好ましくは２．５ｃｍ以上、最も好ましくは３ｃｍ以上であり、好ましくは６ｃｍ以下、より好ましくは５．５ｃｍ以下、最も好ましくは５ｃｍ以下である（好ましくは２〜６ｃｍ、より好ましくは２．５〜５．５ｃｍ、最も好ましくは３〜５ｃｍ）。なお、開放部分の縁に沿った寸法（開口線に沿った開放部分の寸法）は、前記終点が、分割点から開口線の他端方向との間に存し、前記終点と開口線の他端との間の開口の部分も開放された開放部分にする場合（スライドファスナーの両側に開放部分を設ける場合）には、スライドファスナーの両側の開放部分各々の寸法をいい、これら両側の開放部分の寸法合計ではない。
【００１４】
本構造においては、スライドファスナーが開閉する開口から受け入れる収容物を収容する袋とは別の、開放部分から受け入れる収容物を収容する袋を有するものであってもよい。
こうすることで開放部分から受け入れる収容物と、スライドファスナーが開閉する開口から受け入れる収容物と、がポケットの同じ袋に収容されないので、両収容物が不意に係合（引っかかったり、絡まる等）したり、直接擦れる（損傷の原因と成り得る）ことを防止することができる。なお、スライドファスナーが開閉する開口から受け入れる収容物と、開放部分から受け入れる収容物を収容する袋と、が別であるとは、互いの袋が全く並列に独立して形成される場合のみならず、一方の袋の内部に他方の袋が収容されるような場合や、一方の袋の一部と他方の袋の一部とが兼用されるような場合等も含まれる。
【００１５】
また、本考案は、本構造を形成するために好適に用いられるスライドファスナー（以下、「本スライドファスナー」という。）を提供する。
即ち、本スライドファスナーは、第１ファスナーテープと、第２ファスナーテープと、第１ファスナーテープの縁部と第２ファスナーテープの縁部とに跨って両縁部に沿って一方側と他方側との間を往復動することで両縁部を係合させ及び係合を解くスライダーと、両縁部に沿った一方側に配設され、スライダーがさらに一方側に移動することを禁止する一方側止部と、両縁部に沿った他方側に配設され、スライダーがさらに他方側に移動することを禁止する他方側止部と、を備えてなり、第１ファスナーテープと第２ファスナーテープとの片方又は両方が、一方側止部よりも一方側に延長された一方側の延長縁部を有するものである、スライドファスナーである。
本スライドファスナーは、従来のスライドファスナーと同様、第１ファスナーテープと第２ファスナーテープとスライダーと一方側止部と他方側止部とを備えてなる。スライダーは、第１ファスナーテープの縁部と第２ファスナーテープの縁部とに跨って両縁部（第１ファスナーテープの縁部と第２ファスナーテープの縁部）に沿って一方側と他方側との間を往復動することで該両縁部を係合（スライドファスナーを閉じる）させたり及び該両縁部の係合を解く（スライドファスナーを開く）。一方側止部は、該両縁部に沿った一方側に配設され、スライダーがさらに一方側に移動することを禁止すると共に、他方側止部は、該両縁部に沿った他方側に配設され、スライダーがさらに他方側に移動することを禁止する。このためスライダーは、一方側は一方側止部が移動を禁止する位置が移動の限界であり、他方側は他方側止部が移動を禁止する位置が移動の限界であり、これら一方側止部が移動を禁止する位置と他方側止部が移動を禁止する位置との両位置間を該両縁部に沿って往復動することで該両縁部を係合（スライドファスナーを閉じる）させたり及び該両縁部の係合を解く（スライドファスナーを開く）ことができる。
そして本スライドファスナーは、第１ファスナーテープと第２ファスナーテープとの片方又は両方が、一方側止部よりも一方側に延長された一方側の延長縁部を有する。この一方側止部よりも一方側に延長された一方側の延長縁部が本構造の開放部分の縁部を形成するように本スライドファスナーを取り付けることができるので、本スライドファスナーは本考案のポケット構造（本構造）を形成するために好適に用いられる。なお、一方側止部よりも一方側に延長された一方側の延長縁部は、第１ファスナーテープと第２ファスナーテープとの片方又は両方が有するので、第１ファスナーテープのみが一方側の延長縁部を有している場合（第２ファスナーテープは一方側の延長縁部を有していない）、第２ファスナーテープのみが一方側の延長縁部を有している場合（第１ファスナーテープは一方側の延長縁部を有していない）、そして第１ファスナーテープが一方側の延長縁部を有していると共に第２ファスナーテープも一方側の延長縁部を有している場合のいずれも含む。
【００１６】
本スライドファスナーにおいては、スライダーが両縁部に沿って一方側に移動することで両縁部を係合させるもの（以下、「閉方向延長縁部存在本スライドファスナー」という。）であってもよい。
ペンや鉛筆等のような筆記用具等のような多用する物は、衣服着用者の体の中心近くに収容しておく方がポケット内部に挿入したりポケット内部から抜き出すことが迅速かつ容易に行える。このためこのような物を出し入れするための本構造における開放部分を衣服着用者の体の中心近くに配置するようにしてもよく、このように開放部分を衣服着用者の体中心側に配置しようとすると、開放部分を形成する本スライドファスナーの一方側の延長縁部が衣服着用者の体の中心側（例えば、本構造を胸ポケットに適用した場合であれば、衣服着用者のみぞおち側）になるように本スライドファスナーは取り付けられる。このように配設され、スライダーが両縁部に沿って一方側（一方側の延長縁部が存する側）に移動することで両縁部を係合させる本スライドファスナーの場合であれば、ポケットが設けられた側とは反対側の手（例えば、ポケットが衣服着用者の中心よりも右側に配置される場合であれば左手であり、逆に、ポケットが衣服着用者の中心よりも左側に配置される場合であれば右手である。）によりスライダーを衣服着用者の体中心方向に引っ張ってファスナーを閉めることができ、スライドファスナーを開けるよりも通常大きな力を要する閉める動作を円滑かつ確実に行うことができる。
【００１７】
閉方向延長縁部存在本スライドファスナーの場合、一方側止部が、両縁部が分離可能な開放型であってもよい。
スライダーは、第１ファスナーテープの縁部と第２ファスナーテープの縁部とに跨って両縁部に沿って一方側と他方側との間を往復動することで両縁部を係合（スライドファスナーを閉じる）させ及び係合を解く（スライドファスナーを開く）ものであり、両縁部の一方側からスライダーが脱落等しないように、スライダーがさらに一方側に移動することを禁止する一方側止部が両縁部に沿った一方側に配置される。一方側止部は、第１ファスナーテープの縁部と第２ファスナーテープの縁部との両縁部の少なくとも一方（無論、両方でもよい）に取り付けられ、スライダーに当接することでスライダーがさらに一方側に移動することを禁止するものが一般的である。
スライダーがスライドファスナーを閉じる方向（延長縁部が存する一方側）に開放部分となる延長縁部が存する閉方向延長縁部存在本スライドファスナーにおいて、このような一方側止部が、スライドファスナーを閉じる方向（開放部分が形成される方向）に存し、開放型（一方側止部が、一方側止部自身の位置において第１ファスナーテープの縁部と第２ファスナーテープの縁部との離合を許容する形態のもの）であれば、スライダーをスライドファスナーを開ける方向に移動させると、ファスナーが開いて形成される開口と延長縁部が形成する開放部分とが一体となって連続した大きな開口が形成されるのでポケットを便利に使用することができる。なお、開放型の一方側止部（スライダー止め）としては種々のものが知られているが、例えば、（ａ）第１ファスナーテープの縁部と第２ファスナーテープの縁部との一方のみに取り付けられる形態のものや、（ｂ）第１ファスナーテープの縁部に取り付けられる一縁部取付部分と、第２ファスナーテープの縁部に取り付けられ一縁部取付部分と分離した他縁部取付部分と、を含んでなる形態のもの等が例示できる。
【００１８】
本スライドファスナーにおいては、スライダーが両縁部に沿って一方側に移動することで両縁部の係合を解くものであってもよい。
ペンや鉛筆等のような筆記用具等のような多用する物は、衣服着用者の体の中心近くに収容しておく方がポケット内部に挿入したりポケット内部から抜き出すことが迅速かつ容易に行える。このためこのような物を出し入れするための本構造における開放部分を衣服着用者の体の中心近くにもってくるようにするようにしてもよく、このように開放部分を衣服着用者の体中心側に配置しようとすると、開放部分を形成する本スライドファスナーの一方側の延長縁部が衣服着用者の体の中心側（例えば、本構造を胸ポケットに適用した場合であれば、衣服着用者のみぞおち側）になるように本スライドファスナーは取り付けられる。このように配設され、スライダーが両縁部に沿って一方側（一方側の延長縁部が存する側）に移動することで両縁部の係合を解く本スライドファスナーの場合であれば、ポケットが設けられた側とは反対側の手（例えば、ポケットが衣服着用者の中心よりも右側に配置される場合であれば左手であり、逆に、ポケットが衣服着用者の中心よりも左側に配置される場合であれば右手である。）が使用しにくい状況（例えば、オートバイに乗ったとき、左側の胸部分にポケットを設けたときには、その反対側の右手でアクセル操作をする必要があり、右手を使用できない。）では、ポケットが設けられた側の手により衣服着用者の側方にスライダーを引っ張ってファスナーを閉めることができ、スライドファスナーを開けるよりも通常大きな力を要する閉める動作を円滑かつ確実に行うことができる。
【００１９】
本スライドファスナーにおいては、第１ファスナーテープと第２ファスナーテープとの片方又は両方が、他方側止部よりも他方側に延長された他方側の延長縁部を有するものであってもよい。
本スライドファスナーは、第１ファスナーテープと第２ファスナーテープとの片方又は両方が、一方側止部よりも一方側に延長された一方側の延長縁部を有し、この一方側の延長縁部が本構造の開放部分の縁部を形成するように本スライドファスナーを取り付けて本構造を形成するために用いることができるが、さらに第１ファスナーテープと第２ファスナーテープとの片方又は両方が、他方側止部よりも他方側に延長された他方側の延長縁部を有するようにすれば、他方側の延長縁部も本構造の開放部分の縁部を形成することができる。即ち、こうすることでスライドファスナーの両側（一方側と他方側）に開放部分を設けることができ、スライドファスナーが閉じられても、スライドファスナーの両側が常に開放部分（延長部分により形成）として開放されているので、スライドファスナーを開閉することなくペンや鉛筆等のような筆記用具等のような多用する物をスライドファスナーの両側に存するいずれの開放部分からもポケット内部に挿入したりポケット内部から抜き出すことができ、かかる物をポケットに迅速かつ容易に出し入れすることができる。なお、他方側止部よりも他方側に延長された他方側の延長縁部は、第１ファスナーテープと第２ファスナーテープとの片方又は両方が有するので、第１ファスナーテープのみが他方側の延長縁部を有している場合（第２ファスナーテープは他方側の延長縁部を有していない）、第２ファスナーテープのみが他方側の延長縁部を有している場合（第１ファスナーテープは他方側の延長縁部を有していない）、そして第１ファスナーテープが他方側の延長縁部を有していると共に第２ファスナーテープも他方側の延長縁部を有している場合のいずれも含む。
【００２０】
本スライドファスナーにおいては、延長縁部の少なくとも一部を覆うように取り付けられた補強部材をさらに備えるものであってもよい。
延長縁部は、本構造の開放部分を形成するものであり、前述の如く、スライドファスナーを開閉することなくペンや鉛筆等のような筆記用具等のような多用する物を開放部分を経由してポケット内部に挿入したりポケット内部から抜き出すので、ペンや鉛筆等のような筆記用具等のような多用する物によって開放部分の縁（延長縁部）が擦られる。これによって開放部分の縁（延長縁部）が擦り切れたり傷んだりすることがあるので、補強部材を延長縁部の少なくとも一部（無論、全部であってもよい）を覆うように取り付けるようにしてもよい。かかる補強部材としては、延長縁部の少なくとも一部を覆うものであればいかなるものであってもよく何ら限定されるものではないが、例えば、補強布、プラスチックシート、金属薄板等を例示することができる。
【００２１】
本スライドファスナーにおいては、一方側及び／又は他方側の延長縁部を、第１ファスナーテープと第２ファスナーテープとの片方のみが有するものであってもよい。
ここに、「一方側及び／又は他方側の延長縁部を、第１ファスナーテープと第２ファスナーテープとの片方のみが有する」とは、次の（Ａ）及び（Ｂ）ような場合が存在する。即ち、（Ａ）第１ファスナーテープと第２ファスナーテープとのいずれもが、他方側止部よりも他方側に延長された他方側の延長縁部を有さない場合には、一方側の延長縁部を、第１ファスナーテープと第２ファスナーテープとの片方のみが有することを意味し、（Ａ−１）一方側の延長縁部を第１ファスナーテープのみが有し、一方側の延長縁部を第２ファスナーテープは有さない場合、（Ａ−２）一方側の延長縁部を第２ファスナーテープのみが有し、一方側の延長縁部を第１ファスナーテープは有さない場合、のいずれかを意味する。そして、（Ｂ）第１ファスナーテープと第２ファスナーテープとの片方又は両方が、他方側止部よりも他方側に延長された他方側の延長縁部を有する場合には、（Ｂ−１）一方側の延長縁部を第１ファスナーテープが有し、一方側の延長縁部を第２ファスナーテープは有さず、他方側の延長縁部を第１ファスナーテープが有し、他方側の延長縁部を第２ファスナーテープが有する場合、（Ｂ−２）一方側の延長縁部を第１ファスナーテープが有し、一方側の延長縁部を第２ファスナーテープは有さず、他方側の延長縁部を第１ファスナーテープが有し、他方側の延長縁部を第２ファスナーテープが有さない場合、（Ｂ−３）一方側の延長縁部を第１ファスナーテープが有し、一方側の延長縁部を第２ファスナーテープは有さず、他方側の延長縁部を第１ファスナーテープが有さず、他方側の延長縁部を第２ファスナーテープが有する場合、（Ｂ−４）一方側の延長縁部を第１ファスナーテープが有さず、一方側の延長縁部を第２ファスナーテープが有し、他方側の延長縁部を第１ファスナーテープが有し、他方側の延長縁部を第２ファスナーテープが有する場合、（Ｂ−５）一方側の延長縁部を第１ファスナーテープが有さず、一方側の延長縁部を第２ファスナーテープが有し、他方側の延長縁部を第１ファスナーテープが有し、他方側の延長縁部を第２ファスナーテープが有さない場合、（Ｂ−６）一方側の延長縁部を第１ファスナーテープが有さず、一方側の延長縁部を第２ファスナーテープが有し、他方側の延長縁部を第１ファスナーテープが有さず、他方側の延長縁部を第２ファスナーテープが有する場合、（Ｂ−７）一方側の延長縁部を第１ファスナーテープが有し、一方側の延長縁部を第２ファスナーテープが有し、他方側の延長縁部を第１ファスナーテープが有し、他方側の延長縁部を第２ファスナーテープが有さない場合、（Ｂ−８）一方側の延長縁部を第１ファスナーテープが有し、一方側の延長縁部を第２ファスナーテープが有し、他方側の延長縁部を第１ファスナーテープが有さず、他方側の延長縁部を第２ファスナーテープが有する場合、が存在する。
延長縁部は、本構造の開放部分を形成するが、本スライドファスナーを取り付けて本構造を形成する際、本構造の開放部分にファスナーテープの延長縁部が不要である場合には、その不要な場所に応じ、この「一方側及び／又は他方側の延長縁部を、第１ファスナーテープと第２ファスナーテープとの片方のみが有する」本スライドファスナーを適宜好適なものを選択して用いることができる。
【００２２】
本スライドファスナーにおいては、一方側及び／又は他方側の延長縁部を、第１ファスナーテープと第２ファスナーテープとの両方が有するものであり、該両方の延長縁部が、一方側止部及び他方側止部のいずれからも離れた位置において互いに固定されているものであってもよい。
「一方側及び／又は他方側の延長縁部を、第１ファスナーテープと第２ファスナーテープとの両方が有する」とは、次の（Ｃ）及び（Ｄ）ような場合が存在する。即ち、（Ｃ）第１ファスナーテープと第２ファスナーテープとの両方が、他方側止部よりも他方側に延長された他方側の延長縁部を有さない場合（この場合には、第１ファスナーテープと第２ファスナーテープとのいずれもが他方側の延長縁部を有さない場合、第１ファスナーテープが他方側の延長縁部を有すると共に第２ファスナーテープが他方側の延長縁部を有さない場合、そして第１ファスナーテープが他方側の延長縁部を有さないと共に第２ファスナーテープが他方側の延長縁部を有する場合、のいずれも含む。）には、第１ファスナーテープと第２ファスナーテープとの両方が一方側の延長縁部を有することを含み、（Ｄ）第１ファスナーテープと第２ファスナーテープとの両方が、他方側止部よりも他方側に延長された他方側の延長縁部を有する場合には、（Ｄ−１）第１ファスナーテープと第２ファスナーテープとの両方が一方側の延長縁部を有する場合、（Ｄ−２）第１ファスナーテープが一方側の延長縁部を有し、第２ファスナーテープが一方側の延長縁部を有さない場合、（Ｄ−３）第１ファスナーテープが一方側の延長縁部を有さず、第２ファスナーテープが一方側の延長縁部を有する場合、を含む。
即ち、第１ファスナーテープの延長縁部と第２ファスナーテープの延長縁部とが、互いに同じ方向（一方側及び／又は他方側）にのびているとき、互いに同じ方向にのびている第１ファスナーテープの延長縁部と第２ファスナーテープの延長縁部とを、一方側止部及び他方側止部のいずれからも離れた位置において互いに固定することで、互いに固定された一対の延長縁部の間に本構造の開放部分が形成される。上記（Ｃ）の場合であれば、第１ファスナーテープの一方側の延長縁部と第２ファスナーテープの一方側の延長縁部とが一方側止部から離れた位置において互いに固定されればよく、（Ｄ−２）及び（Ｄ−３）の場合であれば、第１ファスナーテープの他方側の延長縁部と第２ファスナーテープの他方側の延長縁部とが他方側止部から離れた位置において互いに固定されればよく、そして（Ｄ−１）の場合であれば、第１ファスナーテープの一方側の延長縁部と第２ファスナーテープの一方側の延長縁部とが一方側止部から離れた位置において互いに固定されると共に、第１ファスナーテープの他方側の延長縁部と第２ファスナーテープの他方側の延長縁部とが他方側止部から離れた位置において互いに固定される場合、第１ファスナーテープの一方側の延長縁部と第２ファスナーテープの一方側の延長縁部とが一方側止部から離れた位置において互いに固定されると共に、第１ファスナーテープの他方側の延長縁部と第２ファスナーテープの他方側の延長縁部とが他方側止部から離れた位置において互いに固定されていない場合、そして第１ファスナーテープの一方側の延長縁部と第２ファスナーテープの一方側の延長縁部とが一方側止部から離れた位置において互いに固定されずに第１ファスナーテープの他方側の延長縁部と第２ファスナーテープの他方側の延長縁部とが他方側止部から離れた位置において互いに固定される場合、のいずれも含む。このように一対の延長縁部を互いに固定することで、一対の延長縁部がばらけないので、本スライドファスナーを衣服に縫いつけることが容易になると共に、補強の効果も奏する。
【００２３】
本スライドファスナーにおいては、延長縁部の長さが２〜６ｃｍであってもよい。
延長縁部は、本構造の開放部分を形成するものであり、前述の如く、ペンや鉛筆等のような筆記用具等のような多用する物を開放部分を経由してポケット内部に挿入したりポケット内部から抜き出すので、開放部分の縁に沿った寸法はあまり小さいとこれらの物がポケットに出し入れしにくく、逆にあまり大きいと不意にこれらの物が脱落しやすくなる。従って、開口線に沿った全部の開放部分を延長縁部が形成するときには、開放部分を経由してポケット内部に挿入したりポケット内部から抜き出す対象物に応じ、延長縁部の長さ（開口線に沿った開放部分の寸法）は、これらの両方を満足させるように定められればよいが、ペンや鉛筆等のような筆記用具等のような対象物であれば、延長縁部の長さ（開口線に沿った開放部分の寸法）は、好ましくは２ｃｍ以上、より好ましくは２．５ｃｍ以上、最も好ましくは３ｃｍ以上であり、好ましくは６ｃｍ以下、より好ましくは５．５ｃｍ以下、最も好ましくは５ｃｍ以下である（好ましくは２〜６ｃｍ、より好ましくは２．５〜５．５ｃｍ、最も好ましくは３〜５ｃｍ）。なお、延長縁部の長さ（開口線に沿った開放部分の寸法）は、延長縁部が一方側及び他方側の両方に存する場合には、一方側の延長縁部と他方側の延長縁部各々の長さをいい、これら両側の延長縁部の長さ合計ではない。
【００２４】
さらに、本考案は、本構造を含んでなる衣服（以下、「本衣服」という。）を提供する。
本衣服は、本構造を含むので、本構造の開口線に沿った開口のうち、開口線の一部である取付線（分割点と終点とを両端とする）に沿って取り付けられたスライドファスナーが閉じられても、分割点と開口線一端との間の開口の部分は常に開放部分として開放されているので、スライドファスナーを開閉することなくペンや鉛筆等のような筆記用具等のような多用する物を開放部分を経由してポケット内部に挿入したりポケット内部から抜き出すことができ、かかる物をポケットに迅速かつ容易に出し入れすることができることから、便利に着用できる。
【００２５】
本衣服においては、本構造が胸ポケットに設けられるものであってもよい。
ペンや鉛筆等のような筆記用具等のような多用する物を迅速かつ容易に出し入れすることができるポケットとしては、本衣服の着用者の胸部分に位置する胸ポケットが挙げられる。そして、この胸ポケットに本構造を適用することにより、スライドファスナーを開閉することなくペンや鉛筆等のような筆記用具等のような多用する物を開放部分を経由してポケット内部に挿入したりポケット内部から抜き出すことができるので、かかる物をポケットに一層迅速かつ容易に出し入れすることができる。
【図面の簡単な説明】
【００２６】
【図１】本考案の第１スライドファスナーを示す正面図である。
【図２】図２（ａ）は、スライドファスナーを縫いつける前の未完成の衣服を示す正面図であり、図２（ｂ）は開口部分の拡大正面図である。
【図３】第１スライドファスナーが縫いつけられた後のポケット部分の一部拡大正面図である。
【図４】補強布が延長縁部を覆うように縫いつけられたところを示す図である。
【図５】第１スライドファスナーの延長縁部が、一方側止部よりも一方側において縫いつけられることで互いに固定されたところを示す正面図である。
【図６】図５に示した第１スライドファスナーが縫いつけられて形成されたポケット部分の一部拡大正面図である。
【図７】本考案の第２スライドファスナーを示す正面図である。
【図８】第２スライドファスナーが縫いつけられた後のポケット部分の一部拡大正面図である。
【図９】本考案の第３スライドファスナーを示す正面図である。
【図１０】第３スライドファスナーが縫いつけられた後のポケット部分の一部拡大正面図である。
【図１１】本考案の第４スライドファスナーを示す正面図である。
【図１２】第４スライドファスナーが縫いつけられた後のポケット部分の一部拡大正面図である。
【図１３】第４スライドファスナーの延長縁部が、一方側止部よりも一方側において縫いつけられることで互いに固定されたところを示す正面図である。
【図１４】図１３に示した第４スライドファスナーが縫いつけられて形成されたポケット部分の一部拡大正面図である。
【図１５】第４スライドファスナーの延長縁部が、一方側止部よりも一方側において縫いつけられることで互いに固定されると共に、他方側止部よりも他方側において縫いつけられることで互いに固定されたところを示す正面図である。
【図１６】図１５に示した第４スライドファスナーが縫いつけられて形成されたポケット部分の一部拡大正面図である。
【図１７】本考案の第５実施形態の衣服（第５衣服）のポケットを示す正面図である。
【図１８】本考案の第６実施形態の衣服（第６衣服）のポケットを示す正面図である。
【図１９】本考案の第７実施形態の衣服（第７衣服）のポケットを示す正面図である。
【考案を実施するための形態】
【００２７】
本考案の実施の形態を図面を参照して詳述するが、本考案はこれに限定されるものではない。
【００２８】
図１は、本考案の第１実施形態のスライドファスナー（以下、「第１スライドファスナー」という。）１１を示す正面図である。図１を参照して第１スライドファスナー１１について説明する。
第１スライドファスナー１１は、大まかには、帯状の第１ファスナーテープ１２ａ（布辺）と、第１ファスナーテープ１２ａの長縁１２ａｄの一部に一定間隔で取付けた多数の第１務歯１２ａｔと、帯状の第２ファスナーテープ１２ｂ（布辺）と、第２ファスナーテープ１２ｂの長縁１２ｂｄの一部に一定間隔で取付けた多数の第２務歯１２ｂｔと、第１ファスナーテープ１２ａの長縁１２ａｄと第２ファスナーテープ１２ｂの長縁１２ｂｄとに跨って両長縁１２ａｄ、１２ｂｄに沿って一方側（図１中、矢印Ｃ１方向側）と他方側（図１中、矢印Ｃ２方向側）との間を往復動することで第１務歯１２ａｔと第２務歯１２ｂｔとを係合させ及び係合を解くスライダー１３と、両長縁１２ａｄ、１２ｂｄに沿った一方側（図１中、矢印Ｃ１方向側）に配設され、スライダー１３がさらに一方側（図１中、矢印Ｃ１方向側）に移動することを禁止する一方側止部１４と、両長縁１２ａｄ、１２ｂｄに沿った他方側（図１中、矢印Ｃ２方向側）に配設され、スライダー１３がさらに他方側（図１中、矢印Ｃ２方向側）に移動することを禁止する他方側止部１５と、を備えてなる。
【００２９】
一方側止部１４は、第１ファスナーテープ１２ａの長縁１２ａｄの所定位置に取り付けられた第１部分１４ａと、第２ファスナーテープ１２ｂの長縁１２ｂｄの所定位置に取り付けられた第２部分１４ｂと、を有してなり（第１部分１４ａと第２部分１４ｂとが分離可能な開放型）、スライダー１３が一方側（図１中、矢印Ｃ１方向側）に移動すると第１部分１４ａと第２部分１４ｂとが合わさり、第１部分１４ａと第２部分１４ｂとがスライダー１３に当接することでスライダー１３がそれよりも一方側（図１中、矢印Ｃ１方向側）に移動することを禁止する。これに対し、他方側止部１５は第１ファスナーテープ１２ａの長縁１２ａｄと第２ファスナーテープ１２ｂの長縁１２ｂｄとに取り付けられた一体に形成されたもので（閉鎖型）、他方側止部１５がスライダー１３に当接することでスライダー１３がそれよりも他方側（図１中、矢印Ｃ２方向側）に移動することを禁止する。
また、多数の第１務歯１２ａｔ及び第２務歯１２ｂｔは、一方側止部１４と他方側止部１５との間に等間隔で両ファスナーテープ１２ａ、１２ｂの長縁１２ａｄ、１２ｂｄに沿って取り付けられており、上述の如く、一方側止部１４と他方側止部１５との間を往復動するスライダー１３によって自由に係合したり係合を解かれることができる。
【００３０】
そして、第１スライドファスナー１１においては、第１ファスナーテープ１２ａと第２ファスナーテープ１２ｂとの両方１２ａ、１２ｂが、一方側止部１４よりも一方側（図１中、矢印Ｃ１方向側）に延長された一方側（図１中、矢印Ｃ１方向側）の延長縁部１２ａｆ、１２ｂｆを有する。延長縁部１２ａｆ、１２ｂｆの縁部に沿った寸法（図１中、寸法Ｌ）は約４ｃｍである。
第１スライドファスナー１１は、スライダー１３が両長縁１２ａｄ、１２ｂｄに沿って一方側（図１中、矢印Ｃ１方向側）に移動することで両長縁１２ａｄ、１２ｂｄを係合（第１スライドファスナー１１を閉じる）させるものであり、スライダー１３が両長縁１２ａｄ、１２ｂｄに沿って他方側（図１中、矢印Ｃ２方向側）に移動することで両長縁１２ａｄ、１２ｂｄの係合を解く（第１スライドファスナー１１を開く）ものである。
【００３１】
図２（ａ）は、第１スライドファスナー１１を縫いつける前の未完成の衣服１０１（ここでは作業着）を示す正面図であり、図２（ｂ）は開口１０３部分の拡大正面図である。未完成の衣服１０１は、図示しない着用者の右胸に位置する表地１０４の部分にポケットを形成するための線分Ｙ（図２（ｂ）中の点線Ｙ）に沿ったスリット状の開口１０３が穿設されている。このスリット状の開口１０３に第１スライドファスナー１１が表地１０４裏面側から縫いつけられる（両長縁１２ａｄ、１２ｂｄが線分Ｙに沿うように開口１０３に第１スライドファスナー１１が縫いつけられる。）。
図３は、図２に示した衣服１０１のスリット状の開口１０３に第１スライドファスナー１１が縫いつけられた後のポケット部分（図２（ａ）中に点線Ｇで囲まれた部分）の一部拡大正面図である。図３を参照して、該ポケット部分について説明する。スリット状の開口１０３の長手方向に沿った線分Ｙ（図２（ｂ）参照）に第１スライドファスナー１１の両長縁１２ａｄ、１２ｂｄが沿うように第１スライドファスナー１１がポケットの裏面から縫いつけられている。そして、第１スライドファスナー１１の両長縁１２ａｄ、１２ｂｄの間から受け入れる収容物を収容する袋１５１が衣服１０１の内側（表地１０４裏面側）に配設されると共に、延長縁部１２ａｆ、１２ｂｆの間（開放部分Ｑ）から受け入れる収容物を収容する袋１６１が袋１５１とは別個に表地１０４裏面側に配設されている。なお、ここでは袋１６１は袋１５１の内部に配設されている。このため一方側止部１４と他方側止部１５との間から投入された物は袋１５１内部に収容され、延長縁部１２ａｆ、１２ｂｆの間（開放部分Ｑ）から挿入された物は袋１６１に収容される。
【００３２】
また、図４に示すように、第１スライドファスナー１１の延長縁部１２ａｆ、１２ｂｆには、延長縁部１２ａｆ、１２ｂｆの少なくとも一部を覆うように補強布１８ａ、１８ｂが取り付けられるようにしてもよい。具体的には、図４は、補強布１８ａ、１８ｂが縫付糸１９によって延長縁部１２ａｆ、１２ｂｆを覆うように縫いつけられたところを示すものであり、図４（ａ）は正面図（図１と同じ方向から見たところを示している。）であり、図４（ｂ）は図４（ａ）のＥ−Ｅ断面図である（なお、図４（ｂ）は延長縁部１２ｂｆの断面を示しているが、延長縁部１２ａｆの断面もこれと同様の構造を有している。）。
補強布１８ａ、１８ｂは、いずれも長方形状の両主表面を有する布辺からなり、該長方形の平行な２辺に平行な線に沿って折ることで２重に重ねられており、この２重になった補強布１８ａ、１８ｂの間に延長縁部１２ａｆ、１２ｂｆが挟まれた状態において補強布１８ａ、１８ｂとファスナーテープ１２ａ、１２ｂとが縫付糸１９によって縫いつけられている。
このように延長縁部１２ａｆ、１２ｂｆを覆うように補強布１８ａ、１８ｂが取り付けられた第１スライドファスナー１１によって図３に示したようなポケット部分が構成されれば、ペンや鉛筆等のような筆記用具等のような多用する物によって延長縁部１２ａｆ、１２ｂｆが擦られて擦り切れたり傷んだりすることを防止又は減少させることができる。
【００３３】
そして、図５に示すように、第１スライドファスナー１１の延長縁部１２ａｆ、１２ｂｆが、一方側止部１４よりも一方側（図５中、矢印Ｃ１方向側）において糸１２ｓによって縫いつけられることで互いに固定されるようにしてもよい。これによりスライダー１３が一方側止部１４の位置に存する場合、延長縁部１２ａｆ、１２ｂｆが閉じた縁部を形成する。このため図６に示すように、図２に示した衣服１０１のスリット状の開口１０３に、図５に示した第１スライドファスナー１１を縫いつけてポケット部分を形成する際、一対の延長縁部１２ａｆ、１２ｂｆがばらけないことから第１スライドファスナー１１を縫いつけることが容易になると共に、延長縁部１２ａｆ、１２ｂｆによって縁部が形成される開放部分Ｑから物を収容するときに互いに引き離される延長縁部１２ａｆ、１２ｂｆを補強することもできる。
【００３４】
以上説明したように、第１スライドファスナー１１は、第１ファスナーテープ１２ａと、第２ファスナーテープ１２ｂと、第１ファスナーテープ１２ａの縁部（ここでは長縁１２ａｄ）と第２ファスナーテープ１２ｂの縁部（ここでは長縁１２ｂｄ）とに跨って両縁部（長縁１２ａｄ、１２ｂｄ）に沿って一方側（図１中、矢印Ｃ１方向側）と他方側（図１中、矢印Ｃ２方向側）との間を往復動することで両縁部（長縁１２ａｄ、１２ｂｄ）を係合させ及び係合を解くスライダー１３と、両縁部（長縁１２ａｄ、１２ｂｄ）に沿った一方側（図１中、矢印Ｃ１方向側）に配設され、スライダー１３がさらに一方側（図１中、矢印Ｃ１方向側）に移動することを禁止する一方側止部１４と、両縁部（長縁１２ａｄ、１２ｂｄ）に沿った他方側（図１中、矢印Ｃ２方向側）に配設され、スライダー１３がさらに他方側（図１中、矢印Ｃ２方向側）に移動することを禁止する他方側止部１５と、を備えてなり、第１ファスナーテープ１２ａと第２ファスナーテープ１２ｂとの片方又は両方（ここでは両方）が、一方側止部１４よりも一方側（図１中、矢印Ｃ１方向側）に延長された一方側（図１中、矢印Ｃ１方向側）の延長縁部１２ａｆ、１２ｂｆを有するものである、スライドファスナーである。
【００３５】
第１スライドファスナー１１においては、スライダー１３が両縁部（長縁１２ａｄ、１２ｂｄ）に沿って一方側（図１中、矢印Ｃ１方向側）に移動することで両縁部（長縁１２ａｄ、１２ｂｄ）を係合させるものである。
そして、第１スライドファスナー１１においては、一方側止部１４が、両縁部（長縁１２ａｄ、１２ｂｄ）が分離可能な開放型である。具体的には、一方側止部１４は、両縁部（長縁１２ａｄ、１２ｂｄ）の一縁部（長縁１２ａｄ）に取り付けられる一縁部取付部分（第１部分１４ａ）と、両縁部（長縁１２ａｄ、１２ｂｄ）の他縁部（長縁１２ｂｄ）に取り付けられ一縁部取付部分（第１部分１４ａ）と分離した他縁部取付部分（第２部分１４ｂ）と、を含んでなる。
第１スライドファスナー１１においては、図４に示したように、延長縁部１２ａｆ、１２ｂｆの少なくとも一部（ここではほぼ全部）を覆うように取り付けられた補強部材（ここでは補強布１８ａ、１８ｂ）をさらに備えるようにしてもよい。
加えて、第１スライドファスナー１１においては、図５に示したように、一方側（図５中、矢印Ｃ１方向側）の延長縁部１２ａｆ、１２ｂｆを、第１ファスナーテープ１２ａと第２ファスナーテープ１２ｂとの両方が有するものであり、該両方の延長縁部１２ａｆ、１２ｂｆが、一方側止部１４及び他方側止部１５のいずれからも離れた位置において互いに固定（糸１２ｓによる縫いつけ）されるようにしてもよい。
第１スライドファスナー１１においては、延長縁部１２ａｆ、１２ｂｆの長さ（図１中、寸法Ｌ。ここではＬ＝約４ｃｍ。）が２〜６ｃｍである。
【００３６】
図３に示した衣服１０１の開口１０３に第１スライドファスナー１１が縫いつけられて形成されたポケット部分が有する構造（以下、「第１構造」という。）は、曲線（ここでは略直線）の一部である開口線（線分Ｙ）に沿った開口を有するポケット構造であって、開口線（線分Ｙ）を２の部分に分割する開口線上の１点である分割点（ここでは一方側止部１４の位置）と開口線（線分Ｙ）の一端（図３中、点Ｚ１）との間の開口の部分である開放部分Ｑ（ここでは開放部分Ｑの縁部を延長縁部１２ａｆ、１２ｂｆが形成する）は開放されると共に、分割点（一方側止部１４の位置）から開口線（線分Ｙ）の他端（図３中、点Ｚ２）方向との間に存する開口線（線分Ｙ）上の１点又は開口線（線分Ｙ）の他端（図３中、点Ｚ２）である終点（ここでは図３中、点Ｚ２）と、分割点（一方側止部１４の位置）と、を両端（ここでは開口線（線分Ｙ）の他端（図３中、点Ｚ２）である終点と、分割点（一方側止部１４の位置）と、を両端）とする取付線に沿ってスライドファスナー（第１スライドファスナー１１）が取り付けられることで開口の一部（一方側止部１４と他方側止部１５との間）が開閉自在にされるものである、ポケット構造である。
【００３７】
第１構造においては、スライドファスナー（第１スライドファスナー１１）を開閉するスライダー１３がスライドファスナー（第１スライドファスナー１１）を閉じる方向（図３中、右方向）に開放部分Ｑが存するものである。
第１構造においては、スライドファスナー（第１スライドファスナー１１）を閉じる方向（図３中、右方向）に存し、それ以上のスライダー１３の移動を禁止するスライダー止め（一方側止部１４）が開放型である。
また、第１構造においては、第１スライドファスナー１１が、図４に示したように、延長縁部１２ａｆ、１２ｂｆの少なくとも一部（ここではほぼ全部）を覆うように取り付けられた補強部材（ここでは補強布１８ａ、１８ｂ）をさらに備えるようにすれば、開放部分Ｑの縁の少なくとも一部（ここではほぼ全部）を覆うように取り付けられた補強部材（補強布１８ａ、１８ｂ）をさらに備えるものとすることができる。
第１構造においては、開放部分Ｑの縁に沿った寸法（開口線（線分Ｙ）に沿った開放部分Ｑの寸法）が２〜６ｃｍ（ここでは約４ｃｍ）である。
加えて、第１構造は、スライドファスナー（第１スライドファスナー１１）が開閉する開口（一方側止部１４と他方側止部１５との間）から受け入れる収容物を収容する袋１５１とは別の、開放部分Ｑ（図３においては、開放部分Ｑの縁部を延長縁部１２ａｆ、１２ｂｆが形成する）から受け入れる収容物を収容する袋１６１を有するものである。
このように衣服１０１の開口１０３に第１スライドファスナー１１が縫いつけられて形成された図３に示す衣服は、第１構造を含んでなる衣服であり、図２及び図３に示すように第１構造が（右）胸ポケットに設けられている。
【００３８】
図７は、本考案の第２実施形態のスライドファスナー（以下、「第２スライドファスナー」という。）２１を示す正面図である。図７を参照して第２スライドファスナー２１について説明する。
第２スライドファスナー２１は、第１スライドファスナー１１に比して第１ファスナーテープ１２ａ（布辺）が異なるのみでその余りは第１スライドファスナー１１と同様の構造を有している。具体的には、第２スライドファスナー２１の第１ファスナーテープ１２ａは、第１スライドファスナー１１の第１ファスナーテープ１２ａが有していた延長縁部１２ａｆを有していないことが異なるのみであり、それ以外の点は第１スライドファスナー１１と同様であるので、重複する説明は省略する（第１スライドファスナー１１と同じ要素には同じ参照番号を付しているので、必要に応じて第１スライドファスナー１１の説明を参照されたい。）。
【００３９】
図８は、図２に示した衣服１０１のスリット状の開口１０３に第２スライドファスナー２１が縫いつけられた後のポケット部分（図２（ａ）中に点線Ｇで囲まれた部分）の一部拡大正面図である。図８を参照して、該ポケット部分について説明する。スリット状の開口１０３の長手方向に沿った線分Ｙ（図２（ｂ）参照）に第２スライドファスナー２１の両長縁１２ａｄ、１２ｂｄが沿うように第２スライドファスナー２１がポケットの裏面から縫いつけられている。そして、第２スライドファスナー２１の両長縁１２ａｄ、１２ｂｄの間から受け入れる収容物を収容する袋１５１が衣服１０１の内側（表地１０４裏面側）に配設されると共に、延長縁部１２ｂｆと開口１０３縁部との間（開放部分Ｑ）から受け入れる収容物を収容する袋１６１が袋１５１とは別個に表地１０４裏面側に配設されている。なお、ここでは袋１６１は袋１５１の内部に配設されている。このため一方側止部１４と他方側止部１５との間から投入された物は袋１５１内部に収容され、延長縁部１２ｂｆと開口１０３縁部との間（開放部分Ｑ）から挿入された物は袋１６１に収容される。
【００４０】
そして前述の図４に示すように、第２スライドファスナー２１の延長縁部１２ｂｆには、延長縁部１２ｂｆの少なくとも一部を覆うように補強布１８ｂが取り付けられるようにしてもよい。
このように延長縁部１２ｂｆを覆うように補強布１８ｂが取り付けられた第２スライドファスナー２１によって図８に示したようなポケット部分が構成されれば、ペンや鉛筆等のような筆記用具等のような多用する物によって延長縁部１２ｂｆが擦られて擦り切れたり傷んだりすることを防止又は減少させることができる。
【００４１】
以上説明したように、第２スライドファスナー２１は、第１ファスナーテープ１２ａと、第２ファスナーテープ１２ｂと、第１ファスナーテープ１２ａの縁部（ここでは長縁１２ａｄ）と第２ファスナーテープ１２ｂの縁部（ここでは長縁１２ｂｄ）とに跨って両縁部（長縁１２ａｄ、１２ｂｄ）に沿って一方側（図７中、矢印Ｃ１方向側）と他方側（図７中、矢印Ｃ２方向側）との間を往復動することで両縁部（長縁１２ａｄ、１２ｂｄ）を係合させ及び係合を解くスライダー１３と、両縁部（長縁１２ａｄ、１２ｂｄ）に沿った一方側（図７中、矢印Ｃ１方向側）に配設され、スライダー１３がさらに一方側（図７中、矢印Ｃ１方向側）に移動することを禁止する一方側止部１４と、両縁部（長縁１２ａｄ、１２ｂｄ）に沿った他方側（図７中、矢印Ｃ２方向側）に配設され、スライダー１３がさらに他方側（図７中、矢印Ｃ２方向側）に移動することを禁止する他方側止部１５と、を備えてなり、第１ファスナーテープ１２ａと第２ファスナーテープ１２ｂとの片方又は両方（ここでは片方）が、一方側止部１４よりも一方側（図７中、矢印Ｃ１方向側）に延長された一方側（図７中、矢印Ｃ１方向側）の延長縁部１２ｂｆを有するものである、スライドファスナーである。
【００４２】
第２スライドファスナー２１においては、スライダー１３が両縁部（長縁１２ａｄ、１２ｂｄ）に沿って一方側（図７中、矢印Ｃ１方向側）に移動することで両縁部（長縁１２ａｄ、１２ｂｄ）を係合させるものである。
第２スライドファスナー２１においては、一方側止部１４が、両縁部（長縁１２ａｄ、１２ｂｄ）が分離可能な開放型である。具体的には、一方側止部１４は、両縁部（長縁１２ａｄ、１２ｂｄ）の一縁部（長縁１２ａｄ）に取り付けられる一縁部取付部分（第１部分１４ａ）と、両縁部（長縁１２ａｄ、１２ｂｄ）の他縁部（長縁１２ｂｄ）に取り付けられ一縁部取付部分（第１部分１４ａ）と分離した他縁部取付部分（第２部分１４ｂ）と、を含んでなる。
第２スライドファスナー２１においては、図４に示したように、延長縁部１２ｂｆの少なくとも一部（ここではほぼ全部）を覆うように取り付けられた補強部材（ここでは補強布１８ｂ）をさらに備えるようにしてもよい。
第２スライドファスナー２１においては、一方側（図７中、矢印Ｃ１方向側）の延長縁部１２ｂｆを、第１ファスナーテープ１２ａと第２ファスナーテープ１２ｂとの片方（第２ファスナーテープ１２ｂ）のみが有するものである。
第２スライドファスナー２１においては、延長縁部１２ｂｆの長さ（図７中、寸法Ｌ。ここではＬ＝約４ｃｍ。）が２〜６ｃｍである。
【００４３】
図８に示した衣服１０１の開口１０３に第２スライドファスナー２１が縫いつけられて形成されたポケット部分が有する構造（以下、「第２構造」という。）は、曲線（ここでは略直線）の一部である開口線（線分Ｙ）に沿った開口を有するポケット構造であって、開口線（線分Ｙ）を２の部分に分割する開口線上の１点である分割点（ここでは一方側止部１４の位置）と開口線（線分Ｙ）の一端（図８中、点Ｚ１）との間の開口の部分である開放部分Ｑ（ここでは開放部分Ｑの縁部を延長縁部１２ｂｆと開口１０３縁部が形成する）は開放されると共に、分割点（一方側止部１４の位置）から開口線（線分Ｙ）の他端（図８中、点Ｚ２）方向との間に存する開口線（線分Ｙ）上の１点又は開口線（線分Ｙ）の他端（図８中、点Ｚ２）である終点（ここでは開口線（線分Ｙ）の他端（図８中、点Ｚ２））と、分割点（一方側止部１４の位置）と、を両端（ここでは開口線（線分Ｙ）の他端（図８中、点Ｚ２）である終点（図８中、点Ｚ２）と、分割点（一方側止部１４の位置）と、を両端）とする取付線に沿ってスライドファスナー（第２スライドファスナー２１）が取り付けられることで開口の一部（一方側止部１４と他方側止部１５との間）が開閉自在にされるものである、ポケット構造である。
【００４４】
第２構造においては、スライドファスナー（第２スライドファスナー２１）を開閉するスライダー１３がスライドファスナー（第２スライドファスナー２１）を閉じる方向（図８中、右方向）に開放部分Ｑが存するものである。
第２構造においては、スライドファスナー（第２スライドファスナー２１）を閉じる方向（図８中、右方向）に存し、それ以上のスライダー１３の移動を禁止するスライダー止め（一方側止部１４）が開放型である。
第２構造においては、第２スライドファスナー２１が、図４に示したように、延長縁部１２ｂｆの少なくとも一部（ここではほぼ全部）を覆うように取り付けられた補強部材（ここでは補強布１８ｂ）をさらに備えるようにすれば、開放部分Ｑの縁の少なくとも一部を覆うように取り付けられた補強部材（補強布１８ｂ）をさらに備えるものとすることができる。
第２構造においては、開放部分Ｑの縁に沿った寸法（開口線（線分Ｙ）に沿った開放部分Ｑの寸法）が２〜６ｃｍ（ここでは約４ｃｍ）である。
加えて、第２構造は、スライドファスナー（第２スライドファスナー２１）が開閉する開口（一方側止部１４と他方側止部１５との間）から受け入れる収容物を収容する袋１５１とは別の、開放部分Ｑ（図８においては、開放部分Ｑの縁部を延長縁部１２ｂｆと開口１０３縁部が形成する）から受け入れる収容物を収容する袋１６１を有するものである。
このように衣服１０１の開口１０３に第２スライドファスナー２１が縫いつけられて形成された図８に示す衣服は、第２構造を含んでなる衣服であり、図２及び図８に示すように第２構造が（右）胸ポケットに設けられている。
【００４５】
図９は、本考案の第３実施形態のスライドファスナー（以下、「第３スライドファスナー」という。）３１を示す正面図である。図９を参照して第３スライドファスナー３１について説明する。
第３スライドファスナー３１は、第１スライドファスナー１１に比して第２ファスナーテープ１２ｂ（布辺）が異なるのみでその余りは第１スライドファスナー１１と同様の構造を有している。具体的には、第３スライドファスナー３１の第２ファスナーテープ１２ｂは、第１スライドファスナー１１の第２ファスナーテープ１２ｂが有していた延長縁部１２ｂｆを有していないことが異なるのみであり、それ以外の点は第１スライドファスナー１１と同様であるので、重複する説明は省略する（第１スライドファスナー１１と同じ要素には同じ参照番号を付しているので、必要に応じて第１スライドファスナー１１の説明を参照されたい。）。
【００４６】
図１０は、図２に示した衣服１０１のスリット状の開口１０３に第３スライドファスナー３１が縫いつけられた後のポケット部分（図２（ａ）中に点線Ｇで囲まれた部分）の一部拡大正面図である。図１０を参照して、該ポケット部分について説明する。スリット状の開口１０３の長手方向に沿った線分Ｙ（図２（ｂ）参照）に第３スライドファスナー３１の両長縁１２ａｄ、１２ｂｄが沿うように第３スライドファスナー３１がポケットの裏面から縫いつけられている。そして、第３スライドファスナー３１の両長縁１２ａｄ、１２ｂｄの間から受け入れる収容物を収容する袋１５１が衣服１０１の内側（表地１０４裏面側）に配設されると共に、延長縁部１２ａｆと開口１０３縁部との間（開放部分Ｑ）から受け入れる収容物を収容する袋１６１が袋１５１とは別個に表地１０４裏面側に配設されている。なお、ここでは袋１６１は袋１５１の内部に配設されている。このため一方側止部１４と他方側止部１５との間から投入された物は袋１５１内部に収容され、延長縁部１２ａｆと開口１０３縁部との間（開放部分Ｑ）から挿入された物は袋１６１に収容される。
【００４７】
そして前述の図４に示すように、第３スライドファスナー３１の延長縁部１２ａｆには、延長縁部１２ａｆの少なくとも一部を覆うように補強布１８ａが取り付けられるようにしてもよい。
このように延長縁部１２ａｆを覆うように補強布１８ａが取り付けられた第３スライドファスナー３１によって図１０に示したようなポケット部分が構成されれば、ペンや鉛筆等のような筆記用具等のような多用する物によって延長縁部１２ａｆが擦られて擦り切れたり傷んだりすることを防止又は減少させることができる。
【００４８】
以上説明したように、第３スライドファスナー３１は、第１ファスナーテープ１２ａと、第２ファスナーテープ１２ｂと、第１ファスナーテープ１２ａの縁部（ここでは長縁１２ａｄ）と第２ファスナーテープ１２ｂの縁部（ここでは長縁１２ｂｄ）とに跨って両縁部（長縁１２ａｄ、１２ｂｄ）に沿って一方側（図９中、矢印Ｃ１方向側）と他方側（図９中、矢印Ｃ２方向側）との間を往復動することで両縁部（長縁１２ａｄ、１２ｂｄ）を係合させ及び係合を解くスライダー１３と、両縁部（長縁１２ａｄ、１２ｂｄ）に沿った一方側（図９中、矢印Ｃ１方向側）に配設され、スライダー１３がさらに一方側（図９中、矢印Ｃ１方向側）に移動することを禁止する一方側止部１４と、両縁部（長縁１２ａｄ、１２ｂｄ）に沿った他方側（図９中、矢印Ｃ２方向側）に配設され、スライダー１３がさらに他方側（図９中、矢印Ｃ２方向側）に移動することを禁止する他方側止部１５と、を備えてなり、第１ファスナーテープ１２ａと第２ファスナーテープ１２ｂとの片方又は両方（ここでは片方）が、一方側止部１４よりも一方側（図９中、矢印Ｃ１方向側）に延長された一方側（図９中、矢印Ｃ１方向側）の延長縁部１２ａｆを有するものである、スライドファスナーである。
【００４９】
第３スライドファスナー３１においては、スライダー１３が両縁部（長縁１２ａｄ、１２ｂｄ）に沿って一方側（図９中、矢印Ｃ１方向側）に移動することで両縁部（長縁１２ａｄ、１２ｂｄ）を係合させるものである。
第３スライドファスナー３１においては、一方側止部１４が、両縁部（長縁１２ａｄ、１２ｂｄ）が分離可能な開放型である。具体的には、一方側止部１４は、両縁部（長縁１２ａｄ、１２ｂｄ）の一縁部（長縁１２ａｄ）に取り付けられる一縁部取付部分（第１部分１４ａ）と、両縁部（長縁１２ａｄ、１２ｂｄ）の他縁部（長縁１２ｂｄ）に取り付けられ一縁部取付部分（第１部分１４ａ）と分離した他縁部取付部分（第２部分１４ｂ）と、を含んでなる。
第３スライドファスナー３１においては、図４に示したように、延長縁部１２ａｆの少なくとも一部（ここではほぼ全部）を覆うように取り付けられた補強部材（ここでは補強布１８ａ）をさらに備えるようにしてもよい。
第３ライドファスナー３１においては、一方側（図９中、矢印Ｃ１方向側）の延長縁部１２ａｆを、第１ファスナーテープ１２ａと第２ファスナーテープ１２ｂとの片方（第１ファスナーテープ１２ａ）のみが有するものである。
第３スライドファスナー３１においては、延長縁部１２ａｆの長さ（図９中、寸法Ｌ。ここではＬ＝約４ｃｍ。）が２〜６ｃｍである。
【００５０】
図１０に示した衣服１０１の開口１０３に第３スライドファスナー３１が縫いつけられて形成されたポケット部分が有する構造（以下、「第３構造」という。）は、曲線（ここでは略直線）の一部である開口線（線分Ｙ）に沿った開口を有するポケット構造であって、開口線（線分Ｙ）を２の部分に分割する開口線上の１点である分割点（ここでは一方側止部１４の位置）と開口線（線分Ｙ）の一端（図１０中、点Ｚ１）との間の開口の部分である開放部分Ｑ（ここでは開放部分Ｑの縁部を延長縁部１２ａｆと開口１０３縁部が形成する）は開放されると共に、分割点（一方側止部１４の位置）から開口線（線分Ｙ）の他端（図１０中、点Ｚ２）方向との間に存する開口線（線分Ｙ）上の１点又は開口線（線分Ｙ）の他端（図１０中、点Ｚ２）である終点（ここでは開口線（線分Ｙ）の他端（図１０中、点Ｚ２））と、分割点（一方側止部１４の位置）と、を両端（ここでは開口線（線分Ｙ）の他端（図１０中、点Ｚ２）である終点（図１０中、点Ｚ２）と、分割点（一方側止部１４の位置）と、を両端）とする取付線に沿ってスライドファスナー（第３スライドファスナー３１）が取り付けられることで開口の一部（一方側止部１４と他方側止部１５との間）が開閉自在にされるものである、ポケット構造である。
【００５１】
第３構造においては、スライドファスナー（第３スライドファスナー３１）を開閉するスライダー１３がスライドファスナー（第３スライドファスナー３１）を閉じる方向（図１０中、右方向）に開放部分Ｑが存するものである。
第３構造においては、スライドファスナー（第３スライドファスナー３１）を閉じる方向（図１０中、右方向）に存し、それ以上のスライダー１３の移動を禁止するスライダー止め（一方側止部１４）が開放型である。
第３構造においては、第３スライドファスナー３１が、図４に示したように、延長縁部１２ａｆの少なくとも一部（ここではほぼ全部）を覆うように取り付けられた補強部材（ここでは補強布１８ａ）をさらに備えるようにすれば、開放部分Ｑの縁の少なくとも一部を覆うように取り付けられた補強部材（補強布１８ａ）をさらに備えるものとすることができる。
第３構造においては、開放部分Ｑの縁に沿った寸法（開口線（線分Ｙ）に沿った開放部分Ｑの寸法）が２〜６ｃｍ（ここでは約４ｃｍ）である。
加えて、第３構造は、スライドファスナー（第３スライドファスナー３１）が開閉する開口（一方側止部１４と他方側止部１５との間）から受け入れる収容物を収容する袋１５１とは別の、開放部分Ｑ（図１０においては、開放部分Ｑの縁部を延長縁部１２ａｆと開口１０３縁部が形成する）から受け入れる収容物を収容する袋１６１を有するものである。
このように衣服１０１の開口１０３に第３スライドファスナー３１が縫いつけられて形成された図１０に示す衣服は、第３構造を含んでなる衣服であり、図２及び図１０に示すように第３構造が（右）胸ポケットに設けられている。
【００５２】
図１１は、本考案の第４実施形態のスライドファスナー（以下、「第４スライドファスナー」という。）４１を示す正面図である。図１１を参照して第４スライドファスナー４１について説明する。
第４スライドファスナー４１は、大まかには、帯状の第１ファスナーテープ１２ａ（布辺）と、第１ファスナーテープ１２ａの長縁１２ａｄの一部に一定間隔で取付けた多数の第１務歯１２ａｔと、帯状の第２ファスナーテープ１２ｂ（布辺）と、第２ファスナーテープ１２ｂの長縁１２ｂｄの一部に一定間隔で取付けた多数の第２務歯１２ｂｔと、第１ファスナーテープ１２ａの長縁１２ａｄと第２ファスナーテープ１２ｂの長縁１２ｂｄとに跨って両長縁１２ａｄ、１２ｂｄに沿って一方側（図１１中、矢印Ｃ１方向側）と他方側（図１１中、矢印Ｃ２方向側）との間を往復動することで第１務歯１２ａｔと第２務歯１２ｂｔとを係合させ及び係合を解くスライダー１３と、両長縁１２ａｄ、１２ｂｄに沿った一方側（図１１中、矢印Ｃ１方向側）に配設され、スライダー１３がさらに一方側（図１１中、矢印Ｃ１方向側）に移動することを禁止する一方側止部１４と、両長縁１２ａｄ、１２ｂｄに沿った他方側（図１１中、矢印Ｃ２方向側）に配設され、スライダー１３がさらに他方側（図１１中、矢印Ｃ２方向側）に移動することを禁止する他方側止部１５と、を備えてなる。
【００５３】
一方側止部１４は、第１ファスナーテープ１２ａの長縁１２ａｄの所定位置に取り付けられた第１部分１４ａと、第２ファスナーテープ１２ｂの長縁１２ｂｄの所定位置に取り付けられた第２部分１４ｂと、を有してなり（第１部分１４ａと第２部分１４ｂとが分離可能な開放型）、スライダー１３が一方側（図１１中、矢印Ｃ１方向側）に移動すると第１部分１４ａと第２部分１４ｂとが合わさり第１部分１４ａと第２部分１４ｂとがスライダー１３に当接することでスライダー１３がそれよりも一方側（図１１中、矢印Ｃ１方向側）に移動することを禁止する。これに対し、他方側止部１５は第１ファスナーテープ１２ａの長縁１２ａｄと第２ファスナーテープ１２ｂの長縁１２ｂｄとに取り付けられた一体に形成されたもので（閉鎖型）、他方側止部１５がスライダー１３に当接することでスライダー１３がそれよりも他方側（図１１中、矢印Ｃ２方向側）に移動することを禁止する。
また、多数の第１務歯１２ａｔ及び第２務歯１２ｂｔは、一方側止部１４と他方側止部１５との間に等間隔で両ファスナーテープ１２ａ、１２ｂの長縁１２ａｄ、１２ｂｄに沿って取り付けられており、上述の如く、一方側止部１４と他方側止部１５との間を往復動するスライダー１３によって自由に係合したり係合を解かれることができる。
【００５４】
そして、第４スライドファスナー４１においては、第１ファスナーテープ１２ａと第２ファスナーテープ１２ｂとの両方１２ａ、１２ｂが、一方側止部１４よりも一方側（図１１中、矢印Ｃ１方向側）に延長された一方側（図１１中、矢印Ｃ１方向側）の延長縁部１２ａｆ１、１２ｂｆ１を有する。延長縁部１２ａｆ１、１２ｂｆ１の縁部に沿った寸法（図１１中、寸法Ｌ）は約４ｃｍである。
加えて、第４スライドファスナー４１においては、第１ファスナーテープ１２ａと第２ファスナーテープ１２ｂとの両方１２ａ、１２ｂが、他方側止部１５よりも他方側（図１１中、矢印Ｃ２方向側）に延長された他方側（図１１中、矢印Ｃ２方向側）の延長縁部１２ａｆ２、１２ｂｆ２を有する。延長縁部１２ａｆ２、１２ｂｆ２の縁部に沿った寸法（図１１中、寸法Ｌ）は約４ｃｍである。
第４スライドファスナー４１は、スライダー１３が両長縁１２ａｄ、１２ｂｄに沿って一方側（図１１中、矢印Ｃ１方向側）に移動することで両長縁１２ａｄ、１２ｂｄを係合させるものであり、スライダー１３が両長縁１２ａｄ、１２ｂｄに沿って他方側（図１１中、矢印Ｃ２方向側）に移動することで両長縁１２ａｄ、１２ｂｄの係合を解くものである。
【００５５】
図１２は、図２に示した衣服１０１のスリット状の開口１０３に第４スライドファスナー４１が縫いつけられた後のポケット部分（図２（ａ）中に点線Ｇで囲まれた部分）の一部拡大正面図である。図１２を参照して、該ポケット部分について説明する。スリット状の開口１０３の長手方向に沿った線分Ｙ（図２（ｂ）参照）に第４スライドファスナー４１の両長縁１２ａｄ、１２ｂｄが沿うように第４スライドファスナー４１がポケットの裏面から縫いつけられている。そして、第４スライドファスナー４１の両長縁１２ａｄ、１２ｂｄの間から受け入れる収容物を収容する袋１５１が衣服１０１の内側（表地１０４裏面側）に配設され、延長縁部１２ａｆ１と延長縁部１２ｂｆ１との間の開放部分Ｑ１から受け入れる収容物を収容する袋１６１が袋１５１とは別個に表地１０４裏面側に配設され、そして延長縁部１２ａｆ２と延長縁部１２ｂｆ２との間の開放部分Ｑ２から受け入れる収容物を収容する袋１６２が袋１５１とは別個に表地１０４裏面側に配設されている。なお、ここでは袋１６１及び袋１６２は袋１５１の内部に配設されている。このため一方側止部１４と他方側止部１５との間から投入された物は袋１５１内部に収容され、延長縁部１２ａｆ１と延長縁部１２ｂｆ１との間の開放部分Ｑ１から受け入れる収容物は袋１６１に収容され、そして延長縁部１２ａｆ２と延長縁部１２ｂｆ２との間の開放部分Ｑ２から受け入れる収容物は袋１６２に収容される。
【００５６】
また、図４において第１スライドファスナー１１の延長縁部１２ａｆ、１２ｂｆの少なくとも一部を覆うように補強布１８ａ、１８ｂを取り付けることを説明したが、これと同様、第４スライドファスナー４１の延長縁部１２ａｆ１、１２ｂｆ１、１２ａｆ２、１２ｂｆ２の１又は２以上の延長縁部の少なくとも一部を覆うように補強布１８を取り付けるようにしてもよい。
このように延長縁部１２ａｆ１、１２ｂｆ１、１２ａｆ２、１２ｂｆ２を覆うように補強布１８が取り付けられた第４スライドファスナー４１によって図１２に示したようなポケット部分が構成されれば、ペンや鉛筆等のような筆記用具等のような多用する物によって、延長縁部１２ａｆ１、１２ｂｆ１、１２ａｆ２、１２ｂｆ２のうち補強布１８が取り付けられた延長縁部が擦られて擦り切れたり傷んだりすることを防止又は減少させることができる。
【００５７】
そして、図１３に示すように、第４スライドファスナー４１の延長縁部１２ａｆ１、１２ｂｆ１が、一方側止部１４よりも一方側（図１３中、矢印Ｃ１方向側）において糸１２ｓによって縫いつけられることで互いに固定されるようにしてもよい。これによりスライダー１３が一方側止部１４の位置に存する場合、延長縁部１２ａｆ１、１２ｂｆ１が閉じた縁部を形成する。このため図１４に示すように、図２に示した衣服１０１のスリット状の開口１０３に、図１３に示した第４スライドファスナー４１を縫いつけてポケット部分を形成する際、一対の延長縁部１２ａｆ１、１２ｂｆ１がばらけないことから第４スライドファスナー４１を縫いつけることが容易になると共に、延長縁部１２ａｆ１、１２ｂｆ１によって縁部が形成される開放部分Ｑ１から物を収容するときに互いに引き離される延長縁部１２ａｆ１、１２ｂｆ１を補強することもできる。
【００５８】
さらに、図１５に示すように、第４スライドファスナー４１の延長縁部１２ａｆ１、１２ｂｆ１の縫いつけ（図１３）に加え、第４スライドファスナー４１の延長縁部１２ａｆ２、１２ｂｆ２が、他方側止部１５よりも他方側（図１５中、矢印Ｃ２方向側）において糸１２ｓによって縫いつけられることで互いに固定されるようにしてもよい。これにより延長縁部１２ａｆ２、１２ｂｆ２が閉じた縁部を形成する。このため図１６に示すように、図２に示した衣服１０１のスリット状の開口１０３に、図１５に示した第４スライドファスナー４１を縫いつけてポケット部分を形成する際、一対の延長縁部１２ａｆ１、１２ｂｆ１のみならず一対の延長縁部１２ａｆ２、１２ｂｆ２もばらけないことから第４スライドファスナー４１を縫いつけることがさらに容易になると共に、延長縁部１２ａｆ１、１２ｂｆ１によって縁部が形成される開放部分Ｑ１と、延長縁部１２ａｆ２、１２ｂｆ２によって縁部が形成される開放部分Ｑ２と、から物を収容するときに互いに引き離される延長縁部１２ａｆ１、１２ｂｆ１と延長縁部１２ａｆ２、１２ｂｆ２とを補強することもできる。
なお、図１５及び図１６は、延長縁部１２ａｆ１、１２ｂｆ１の糸１２ｓによる縫いつけに加え、延長縁部１２ａｆ２、１２ｂｆ２の糸１２ｓによる縫いつけがなされているが、必要に応じ、延長縁部１２ａｆ１、１２ｂｆ１の糸１２ｓによる縫いつけを行わず、延長縁部１２ａｆ２、１２ｂｆ２の糸１２ｓによる縫いつけのみがなされてもよい。
また、第４スライドファスナー４１においては、延長縁部１２ａｆ１、１２ｂｆ１、１２ａｆ２、１２ｂｆ２を形成するファスナーテープ１２ａ、１２ｂの４の部分（即ち、ファスナーテープ１２ａ、１２ｂのうち一方側止部１４よりも一方側（図１３中、矢印Ｃ１方向側）に存する部分と、ファスナーテープ１２ａ、１２ｂのうち他方側止部１５よりも他方側（図１５中、矢印Ｃ２方向側）に存する部分）のうち１、２又は３の部分を、適宜必要に応じ（図７又は図９参照）切除するようにしてもよい。
【００５９】
以上説明したように、第４スライドファスナー４１は、第１ファスナーテープ１２ａと、第２ファスナーテープ１２ｂと、第１ファスナーテープ１２ａの縁部（ここでは長縁１２ａｄ）と第２ファスナーテープ１２ｂの縁部（ここでは長縁１２ｂｄ）とに跨って両縁部（長縁１２ａｄ、１２ｂｄ）に沿って一方側（図１１中、矢印Ｃ１方向側）と他方側（図１１中、矢印Ｃ２方向側）との間を往復動することで両縁部（長縁１２ａｄ、１２ｂｄ）を係合させ及び係合を解くスライダー１３と、両縁部（長縁１２ａｄ、１２ｂｄ）に沿った一方側（図１１中、矢印Ｃ１方向側）に配設され、スライダー１３がさらに一方側（図１１中、矢印Ｃ１方向側）に移動することを禁止する一方側止部１４と、両縁部（長縁１２ａｄ、１２ｂｄ）に沿った他方側（図１１中、矢印Ｃ２方向側）に配設され、スライダー１３がさらに他方側（図１１中、矢印Ｃ２方向側）に移動することを禁止する他方側止部１５と、を備えてなり、第１ファスナーテープ１２ａと第２ファスナーテープ１２ｂとの片方又は両方（ここでは両方）が、一方側止部１４よりも一方側（図１１中、矢印Ｃ１方向側）に延長された一方側（図１１中、矢印Ｃ１方向側）の延長縁部１２ａｆ１、１２ｂｆ１を有するものである、スライドファスナーである。
【００６０】
第４スライドファスナー４１においては、スライダー１３が両縁部（長縁１２ａｄ、１２ｂｄ）に沿って一方側（図１１中、矢印Ｃ１方向側）に移動することで両縁部（長縁１２ａｄ、１２ｂｄ）を係合させるものである。
そして、第４スライドファスナー４１においては、一方側止部１４が、両縁部（長縁１２ａｄ、１２ｂｄ）が分離可能な開放型である。具体的には、一方側止部１４は、両縁部（長縁１２ａｄ、１２ｂｄ）の一縁部（長縁１２ａｄ）に取り付けられる一縁部取付部分（第１部分１４ａ）と、両縁部（長縁１２ａｄ、１２ｂｄ）の他縁部（長縁１２ｂｄ）に取り付けられ一縁部取付部分（第１部分１４ａ）と分離した他縁部取付部分（第２部分１４ｂ）と、を含んでなる。
第４スライドファスナー４１においては、第１ファスナーテープ１２ａと第２ファスナーテープ１２ｂとの片方又は両方（ここでは両方）が、他方側止部１５よりも他方側（図１１中、矢印Ｃ２方向側）に延長された他方側（図１１中、矢印Ｃ２方向側）の延長縁部１２ａｆ２、１２ｂｆ２を有するものである。
第４スライドファスナー４１においては、図４に示したように、延長縁部１２ａｆ１、１２ｂｆ１、１２ａｆ２、１２ｂｆ２の少なくとも一部を覆うように取り付けられた補強部材（ここでは補強布１８）をさらに備えるようにしてもよい。
加えて、第４スライドファスナー４１においては、図１３に示したように、一方側（図１３中、矢印Ｃ１方向側）の延長縁部１２ａｆ１、１２ｂｆ１を、第１ファスナーテープ１２ａと第２ファスナーテープ１２ｂとの両方が有するものであり、該両方の延長縁部１２ａｆ１、１２ｂｆ１が、一方側止部１４及び他方側止部１５のいずれからも離れた位置において互いに固定（糸１２ｓによる縫いつけ）されるようにしてもよい。同様に、第４スライドファスナー４１においては、図１５に示したように、一方側（図１５中、矢印Ｃ１方向側）の延長縁部１２ａｆ１、１２ｂｆ１及び他方側（図１５中、矢印Ｃ２方向側）の延長縁部１２ａｆ２、１２ｂｆ２を、第１ファスナーテープ１２ａと第２ファスナーテープ１２ｂとの両方が有するものであり、該両方の延長縁部（延長縁部１２ａｆ１、１２ｂｆ１と延長縁部１２ａｆ２、１２ｂｆ２）が、一方側止部１４及び他方側止部１５のいずれからも離れた位置において互いに固定（糸１２ｓによる縫いつけ）されるようにしてもよい。また、前述のように、第４スライドファスナー４１においては、他方側（図１５中、矢印Ｃ２方向側）の延長縁部１２ａｆ２、１２ｂｆ２を、第１ファスナーテープ１２ａと第２ファスナーテープ１２ｂとの両方が有するものであり、該両方の延長縁部１２ａｆ２、１２ｂｆ２が、一方側止部１４及び他方側止部１５のいずれからも離れた位置において互いに固定（糸１２ｓによる縫いつけ）されるようにしてもよい。
第４スライドファスナー４１においては、延長縁部１２ａｆ１、１２ｂｆ１、１２ａｆ２、１２ｂｆ２の長さ（図１１中、寸法Ｌ。ここではＬ＝約４ｃｍ。）が２〜６ｃｍである。
【００６１】
図１２、図１４及び図１６に示した衣服１０１の開口１０３に第４スライドファスナー４１が縫いつけられて形成されたポケット部分が有する構造（以下、「第４構造」という。）は、曲線（ここでは略直線）の一部である開口線（線分Ｙ）に沿った開口を有するポケット構造であって、開口線（線分Ｙ）を２の部分に分割する開口線上の１点である分割点（ここでは一方側止部１４の位置）と開口線（線分Ｙ）の一端（図１２、図１４及び図１６中、点Ｚ１）との間の開口の部分である開放部分Ｑ１（ここでは開放部分Ｑ１の縁部を延長縁部１２ａｆ１、１２ｂｆ１が形成する）は開放されると共に、分割点（一方側止部１４の位置）から開口線（線分Ｙ）の他端（図１２、図１４及び図１６中、点Ｚ２）方向との間に存する開口線（線分Ｙ）上の１点（ここでは他方側止部１５の位置）又は開口線（線分Ｙ）の他端（図１２、図１４及び図１６中、点Ｚ２）である終点（ここでは他方側止部１５の位置である該１点）と、分割点（一方側止部１４の位置）と、を両端（ここでは分割点（一方側止部１４の位置）から開口線（線分Ｙ）の他端（図１２、図１４及び図１６中、点Ｚ２）方向との間に存する開口線（線分Ｙ）上の該１点（他方側止部１５の位置）である終点と、分割点（一方側止部１４の位置）と、を両端）とする取付線に沿ってスライドファスナー（第４スライドファスナー４１）が取り付けられることで開口の一部（一方側止部１４と他方側止部１５との間）が開閉自在にされるものである、ポケット構造である。
【００６２】
第４構造においては、スライドファスナー（第４スライドファスナー４１）を開閉するスライダー１３がスライドファスナー（第４スライドファスナー４１）を閉じる方向（図１２、図１４及び図１６中、右方向）に開放部分Ｑ１が存するものである。
第４構造においては、スライドファスナー（第４スライドファスナー４１）を閉じる方向（図１２、図１４及び図１６中、右方向）に存し、それ以上のスライダー１３の移動を禁止するスライダー止め（一方側止部１４）が開放型である。
また、第４構造においては、前記終点（ここでは他方側止部１５の位置である該１点）が、分割点（ここでは一方側止部１４の位置）から開口線（線分Ｙ）の他端（図１２、図１４及び図１６中、点Ｚ２）方向との間に存し、前記終点（他方側止部１５の位置）と開口線（線分Ｙ）の他端（図１２、図１４及び図１６中、点Ｚ２）との間の開口の部分も開放された開放部分Ｑ２である。
第４スライドファスナー４１が、図４に示したように、延長縁部１２ａｆ１、１２ｂｆ１、１２ａｆ２、１２ｂｆ２の少なくとも一部を覆うように取り付けられた補強部材（ここでは補強布１８）をさらに備えるようにすれば、開放部分Ｑ１、Ｑ２の縁の少なくとも一部を覆うように取り付けられた補強部材（補強布１８）をさらに備えるものとすることができる。
第４構造においては、開放部分Ｑ１、Ｑ２の縁に沿った寸法（開口線に沿った開放部分Ｑ１、Ｑ２の寸法）が２〜６ｃｍ（ここでは約４ｃｍ）である。
加えて、第４構造は、スライドファスナー（第４スライドファスナー４１）が開閉する開口（一方側止部１４と他方側止部１５との間）から受け入れる収容物を収容する袋１５１とは別の、開放部分Ｑ１（開放部分Ｑ１の縁部を延長縁部１２ａｆ１、１２ｂｆ１が形成する）から受け入れる収容物を収容する袋１６１を有すると共に、開放部分Ｑ２（開放部分Ｑ２の縁部を延長縁部１２ａｆ２、１２ｂｆ２が形成する）から受け入れる収容物を収容する袋１６２を有する。
このように衣服１０１の開口１０３に第４スライドファスナー４１が縫いつけられて形成された図１２、図１４及び図１６に示す衣服は、第４構造を含んでなる衣服であり、図２、図１２、図１４及び図１６に示すように第４構造が（右）胸ポケットに設けられている。
【００６３】
なお、以上説明した第１乃至第４構造においては、ペン等を開放部分Ｑ、Ｑ１に入れたり出したりを容易に行うために開放部分Ｑ、Ｑ１を体（衣服着用者の体）の中心に配置しており、右ポケットとは反対側の手（左手）により引っ張る方向がスライドファスナーを開閉するスライダー１３がスライドファスナーを閉じる方向（図３、図６、図８、図１０、図１２、図１４及び図１６中、右方向）になっているので、ポケットが形成された側の手とは反対側の手で引っ張ってファスナーを閉めることができ、開けるよりも力を通常要する閉める動作を円滑かつ確実に行うことができる。
また、開放部分Ｑ、Ｑ１を体（衣服着用者の体）の中心に配置した際、ポケットが形成された側の手とは反対側の手でスライダー１３を操作しにくい場合の衣服（例えば、オートバイのライダー用ジャケットにおいて、左側の胸部分にポケットを形成したときには、右手でアクセル操作をする必要があり、右手を使用できない）であれば、スライダー１３が一方側（ペン等を入れる開放部分Ｑ、Ｑ１が存在する側）に移動することでファスナーを開く（両縁部の係合を解く）ものとすれば、ポケットが形成された側の手により引っ張る方向でファスナーを閉めることができ、開けるよりも力を通常要する閉める動作を円滑かつ確実に行うことができる。
【００６４】
図１７は、本考案の第５実施形態の衣服（以下、「第５衣服」という。）のポケット２０１を示す図である。図１７を参照して第５衣服のポケット２０１について説明する。詳細には、図１７（ａ）は、第５衣服のポケット２０１を形成するために使用するスライドファスナー４０１を示す図であり、図１７（ｂ）は、スライドファスナー４０１が縫いつけられるスリット状の開口１０３（図２（ｂ）と同様）を示す図であり、そして図１７（ｃ）は、第５衣服のポケット２０１の正面図である。
第５衣服のポケット２０１は、表地１０４に形成されたスリット状の開口１０３（図２も参照）に、従来からのスライドファスナー４０１が表地１０４裏面から縫いつけられることで形成されている。なお、開口１０３は、図２に示した通り、図１７のＺ２側方向が第５衣服の着用者（不図示）の右体側方向であり、図１７のＺ１側方向が第５衣服の着用者（不図示）の体中心（みぞおち）側方向である。
従来からのスライドファスナー４０１は、大まかには、帯状の第１ファスナーテープ４０２ａ（布辺）と、第１ファスナーテープ４０２ａの長縁４０２ａｄの一部に一定間隔で取付けた多数の第１務歯４０２ａｔと、帯状の第２ファスナーテープ４０２ｂ（布辺）と、第２ファスナーテープ４０２ｂの長縁４０２ｂｄの一部に一定間隔で取付けた多数の第２務歯４０２ｂｔと、第１ファスナーテープ４０２ａの長縁４０２ａｄと第２ファスナーテープ４０２ｂの長縁４０２ｂｄとに跨って両長縁４０２ａｄ、４０２ｂｄに沿って一方側（図１７中、右方向側）と他方側（図１７中、左方向側）との間を往復動することで第１務歯４０２ａｔと第２務歯４０２ｂｔとを係合させ及び係合を解くスライダー４０３と、両長縁４０２ａｄ、４０２ｂｄに沿った一方側（図１７中、右方向側）に配設され、スライダー４０３がさらに一方側（図１７中、右方向側）に移動することを禁止する一方側止部４０４と、両長縁４０２ａｄ、４０２ｂｄに沿った他方側（図１７中、左方向側）に配設され、スライダー４０３がさらに他方側（図１７中、左方向側）に移動することを禁止する他方側止部４０５と、を備えてなる。なお、第１務歯４０２ａｔ及び第２務歯４０２ｂｔは、先述の第１スライドファスナー１１〜第４スライドファスナー４１の第１務歯１２ａｔ及び第２務歯１２ｂｔと同様のものであるが、ここでは図示を容易にするため省略した形で示している。
【００６５】
一方側止部４０４は、第１ファスナーテープ４０２ａの長縁４０２ａｄの所定位置に取り付けられた第１部分４０４ａと、第２ファスナーテープ４０２ｂの長縁４０２ｂｄの所定位置に取り付けられた第２部分４０４ｂと、を有してなり（第１部分４０４ａと第２部分４０４ｂとが分離可能な開放型）、スライダー４０３が一方側（図１７中、右方向側）に移動すると第１部分４０４ａと第２部分４０４ｂとが合わさりスライダー４０３に当接することでスライダー４０３がそれよりも一方側（図１７中、右方向側）に移動することを禁止する。これに対し、他方側止部４０５は第１ファスナーテープ４０２ａの長縁４０２ａｄと第２ファスナーテープ４０２ｂの長縁４０２ｂｄとに取り付けられた一体に形成されたもので（閉鎖型）、スライダー４０３に当接することでスライダー４０３がそれよりも他方側（図１７中、左方向側）に移動することを禁止する。
また、多数の第１務歯４０２ａｔ及び第２務歯４０２ｂｔは、先述の第１スライドファスナー１１〜第４スライドファスナー４１の第１務歯１２ａｔ及び第２務歯１２ｂｔと同様、一方側止部４０４と他方側止部４０５との間に等間隔で両ファスナーテープ４０２ａ、４０２ｂの長縁４０２ａｄ、４０２ｂｄに沿って取り付けられており、上述の如く、一方側止部４０４と他方側止部４０５との間を往復動するスライダー４０３によって自由に係合したり係合を解かれることができる。
【００６６】
このようなスライドファスナー４０１は、両ファスナーテープ４０２ａ、４０２ｂの長縁４０２ａｄ、４０２ｂｄに沿った寸法Ｌｆが、表地１０４に形成されたスリット状の開口１０３の長手方向に沿った寸法Ｌｗ（開口線に沿った寸法）よりも小さいものが選択されている。そして、ここでは図１７のように他方側止部４０５側のスライドファスナー４０１の縁部４０１ｃが、第５衣服の着用者（不図示）の右体側方向（Ｚ２側方向）の開口１０３の縁部１０３ｃに略一致するように縫いつけ糸４０８により縫いつけられている。これにより一方側止部４０４（第１部分４０４ａと第２部分４０４ｂ）側のスライドファスナー４０１の縁部４０１ｄ側には、寸法Ｌｐ（Ｌｐは（Ｌｗ−Ｌｆ）に略等しい。なお、ここではＬｐ＝約４ｃｍである。）の開放孔５０１が形成されている。
また、ここではスライダー４０３が、第５衣服の着用者（不図示）の体中心（みぞおち）側方向（Ｚ１側方向）に移動することで、第１務歯４０２ａｔ及び第２務歯４０２ｂｔは係合するようになっている。
【００６７】
以上、図１７を参照して説明した第５衣服のポケット２０１の構造は、曲線（ここでは略直線）の一部である開口線（図２（ｂ）中、線分Ｙ）に沿った開口を有するポケット構造であって、開口線（線分Ｙ）を２の部分に分割する開口線上の１点である分割点（ここでは一方側止部４０４の位置）と開口線（線分Ｙ）の一端（図１７中、点Ｚ１）との間の開口の部分である開放部分（ここでは開放孔５０１）は開放されると共に、分割点（一方側止部４０４の位置）から開口線（線分Ｙ）の他端（図１７中、点Ｚ２）方向との間に存する開口線（線分Ｙ）上の１点又は開口線（線分Ｙ）の他端（図１７中、点Ｚ２）である終点（ここでは開口線（線分Ｙ）の他端（図１７中、点Ｚ２））と、分割点（一方側止部４０４の位置）と、を両端（ここでは開口線（線分Ｙ）の他端（図１７中、点Ｚ２）である終点と、分割点（一方側止部４０４の位置）と、を両端）とする取付線に沿ってスライドファスナー（スライドファスナー４０１）が取り付けられることで開口の一部（一方側止部４０４と他方側止部４０５との間）が開閉自在にされるものである、ポケット構造である。
【００６８】
そして、第５衣服のポケット２０１の構造は、スライドファスナー４０１を開閉するスライダー４０３がスライドファスナー４０１を閉じる方向（図１７中、右方向）に開放部分（開放孔５０１）が存するものである。
第５衣服のポケット２０１の構造は、スライドファスナー４０１を閉じる方向（図１７中、右方向）に存し、それ以上のスライダー４０３の移動を禁止するスライダー止め（一方側止部４０４）が開放型である。
そして第５衣服のポケット２０１の構造においては、開放部分（開放孔５０１）の縁の少なくとも一部を覆うように取り付けられた補強部材（例えば、補強布）をさらに備えるものとしてもよい。
第５衣服のポケット２０１の構造においては、開放部分（開放孔５０１）の縁に沿った寸法Ｌｐ（開口線に沿った開放部分の寸法Ｌｐ）が２〜６ｃｍ（ここではＬｐ＝約４ｃｍ）である。
加えて、第５衣服のポケット２０１の構造においては、ここでは図示していないが、第１乃至第４構造と同様、スライドファスナー４０１が開閉する開口（一方側止部４０４と他方側止部４０５との間）から受け入れる収容物を収容する袋とは別の、開放部分（開放孔５０１）から受け入れる収容物を収容する袋を有するものである。
このように衣服１０１の開口１０３にスライドファスナー４０１が縫いつけられて形成された図１７に示す衣服は、ポケット２０１の構造を含んでなる衣服であり、図２及び図１７に示すようにポケット２０１の構造が（右）胸ポケットに設けられている。
【００６９】
図１８は、本考案の第６実施形態の衣服（以下、「第６衣服」という。）のポケット２２１を示す正面図である。図１８を参照して第６衣服のポケット２２１について説明する。
第６衣服のポケット２２１は、図１７と同様、表地１０４に形成されたスリット状の開口１０３に、従来からのスライドファスナー４２１が表地１０４裏面から縫いつけられることで形成されている。なお、開口１０３は、図２に示した通り、図１８のＺ２側方向が第６衣服の着用者（不図示）の右体側方向であり、図１８のＺ１側方向が第６衣服の着用者（不図示）の体中心（みぞおち）側方向である。
従来からのスライドファスナー４２１は、大まかには、帯状の第１ファスナーテープ４２２ａ（布辺）と、第１ファスナーテープ４２２ａの長縁４２２ａｄの一部に一定間隔で取付けた多数の第１務歯４２２ａｔと、帯状の第２ファスナーテープ４２２ｂ（布辺）と、第２ファスナーテープ４２２ｂの長縁４２２ｂｄの一部に一定間隔で取付けた多数の第２務歯４２２ｂｔと、第１ファスナーテープ４２２ａの長縁４２２ａｄと第２ファスナーテープ４２２ｂの長縁４２２ｂｄとに跨って両長縁４２２ａｄ、４２２ｂｄに沿って一方側（図１８中、右方向側）と他方側（図１８中、左方向側）との間を往復動することで第１務歯４２２ａｔと第２務歯４２２ｂｔとを係合させ及び係合を解くスライダー４２３と、両長縁４２２ａｄ、４２２ｂｄに沿った一方側（図１８中、右方向側）に配設され、スライダー４２３がさらに一方側（図１８中、右方向側）に移動することを禁止する一方側止部４２４と、両長縁４２２ａｄ、４２２ｂｄに沿った他方側（図１８中、左方向側）に配設され、スライダー４２３がさらに他方側（図１８中、左方向側）に移動することを禁止する他方側止部４２５と、を備えてなる。なお、第１務歯４２２ａｔ及び第２務歯４２２ｂｔは、先述の第１スライドファスナー１１〜第４スライドファスナー４１の第１務歯１２ａｔ及び第２務歯１２ｂｔと同様のものであるが、ここでは図示を容易にするため省略した形で示している。
【００７０】
ここでは一方側止部４２４及び他方側止部４２５のいずれも、第１ファスナーテープ４２２ａの長縁４２２ａｄと第２ファスナーテープ４２２ｂの長縁４２２ｂｄとに取り付けられた一体に形成されたもので（閉鎖型）、スライダー４２３に当接することで、スライダー４２３がそれを超えてさらに移動することを禁止する。
また、多数の第１務歯４２２ａｔ及び第２務歯４２２ｂｔは、先述の第１スライドファスナー１１〜第４スライドファスナー４１の第１務歯１２ａｔ及び第２務歯１２ｂｔと同様、一方側止部４２４と他方側止部４２５との間に等間隔で両ファスナーテープ４２２ａ、４２２ｂの長縁４２２ａｄ、４２２ｂｄに沿って取り付けられており、上述の如く、一方側止部４２４と他方側止部４２５との間を往復動するスライダー４２３によって自由に係合したり係合を解かれることができる。
【００７１】
スライドファスナー４２１は、図１７に示した第５衣服のポケット２０１の構造と同様、両ファスナーテープ４２２ａ、４２２ｂの長縁４２２ａｄ、４２２ｂｄに沿った寸法Ｌｆが、表地１０４に形成されたスリット状の開口１０３の長手方向に沿った寸法Ｌｗ（開口線に沿った寸法）よりも小さいものが選択されている。そして、ここでは図１８のように他方側止部４２５側のスライドファスナー４２１の縁部が、第６衣服の着用者（不図示）の右体側方向（Ｚ２側方向）の開口１０３の縁部１０３ｃに略一致するように縫いつけ糸４０８により縫いつけられている。これにより一方側止部４２４側のスライドファスナー４２１の縁部４２１ｄ側には、寸法Ｌｐ（Ｌｐは（Ｌｗ−Ｌｆ）に略等しい。なお、ここではＬｐ＝約４ｃｍである。）の開放孔５２１が形成されている。
また、ここではスライダー４２３が第６衣服の着用者（不図示）の右体側方向（Ｚ２側方向）に移動することで、第１務歯４２２ａｔ及び第２務歯４２２ｂｔは係合するようになっている。
【００７２】
以上、図１８を参照して説明した第６衣服のポケット２２１の構造は、曲線（ここでは略直線）の一部である開口線（図２（ｂ）中、線分Ｙ）に沿った開口を有するポケット構造であって、開口線（線分Ｙ）を２の部分に分割する開口線上の１点である分割点（ここでは一方側止部４２４の位置）と開口線（線分Ｙ）の一端（図１８中、点Ｚ１）との間の開口の部分である開放部分（ここでは開放孔５２１）は開放されると共に、分割点（一方側止部４２４の位置）から開口線（線分Ｙ）の他端（図１８中、点Ｚ２）方向との間に存する開口線（線分Ｙ）上の１点又は開口線（線分Ｙ）の他端（図１８中、点Ｚ２）である終点（ここでは開口線（線分Ｙ）の他端（図１８中、点Ｚ２））と、分割点（一方側止部４２４の位置）と、を両端（ここでは開口線（線分Ｙ）の他端（図１８中、点Ｚ２）である終点と、分割点（一方側止部４２４の位置）と、を両端）とする取付線に沿ってスライドファスナー４２１が取り付けられることで開口の一部（一方側止部４２４と他方側止部４２５との間）が開閉自在にされるものである、ポケット構造である。
【００７３】
そして、第６衣服のポケット２２１の構造においては、スライドファスナー４２１を開閉するスライダー４２３がスライドファスナー４２１を開ける方向（図１８中、右方向）に開放部分（ここでは開放孔５２１）が存するものである。
第６衣服のポケット２２１の構造においては、開放部分（開放孔５２１）の縁の少なくとも一部を覆うように取り付けられた補強部材（例えば、補強布）をさらに備えるものとしてもよい。
第６衣服のポケット２２１の構造においては、開放部分（開放孔５２１）の縁に沿った寸法（開口線に沿った開放部分の寸法Ｌｐ）が２〜６ｃｍ（ここではＬｐ＝約４ｃｍ）である。
加えて、第６衣服のポケット２２１の構造においては、ここでは図示していないが、第１乃至第４構造と同様、スライドファスナー４２１が開閉する開口（一方側止部４２４と他方側止部４２５との間）から受け入れる収容物を収容する袋とは別の、開放部分（開放孔５２１）から受け入れる収容物を収容する袋を有するものである。
このように衣服１０１の開口１０３にスライドファスナー４２１が縫いつけられて形成された図１８に示す衣服は、ポケット２２１の構造を含んでなる衣服であり、図２及び図１８に示すようにポケット２２１の構造が（右）胸ポケットに設けられている。
【００７４】
図１９は、本考案の第７実施形態の衣服（以下、「第７衣服」という。）のポケット２３１を示す正面図である。図１９を参照して第７衣服のポケット２３１について説明する。
第７衣服のポケット２３１は、図１７及び図１８と同様、表地１０４に形成されたスリット状の開口１０３に、従来からのスライドファスナー４０１が表地１０４裏面から縫いつけられることで形成されている。開口１０３は、図２に示した通り、図１９のＺ２側方向が第７衣服の着用者（不図示）の右体側方向であり、図１９のＺ１側方向が第７衣服の着用者（不図示）の体中心（みぞおち）側方向である。
図１９において用いるスライドファスナー４０１は、図１７において用いたスライドファスナー４０１と同様のものであるので、ここでは説明を省略する（必要があれば図１７のスライドファスナー４０１の説明を参照されたい。）。
スライドファスナー４０１は、両ファスナーテープ４０２ａ、４０２ｂの長縁４０２ａｄ、４０２ｂｄに沿った寸法Ｌｆが、表地１０４に形成されたスリット状の開口１０３の長手方向に沿った寸法Ｌｗ（開口線に沿った寸法）よりも小さいものが選択されている。ここでは図１９のスリット状の開口１０３の長手方向に沿った寸法Ｌｗは、図１７のスリット状の開口１０３の長手方向に沿った寸法Ｌｗよりも大きくされている。スライドファスナー４０１は、スリット状の開口１０３の長手方向に沿ったほぼ真ん中に位置するよう、縫いつけ糸４０８により表地１０４裏面に縫いつけられている。
これにより他方側止部４０５側のスライドファスナー４０１の縁部４０１ｃ側には寸法Ｌｐ１の開放孔５３１ａが形成されると共に、一方側止部４０４（第１部分４０４ａと第２部分４０４ｂ）側には寸法Ｌｐ２の開放孔５３１ｂが形成されている（なお、ここではＬｐ１＝Ｌｐ２＝約４ｃｍである。）。
また、ここではスライダー４０３が、第７衣服の着用者（不図示）の体中心（みぞおち）側方向（Ｚ１側方向）に移動することで、第１務歯４０２ａｔ及び第２務歯４０２ｂｔが係合するようになっている。
【００７５】
以上、図１９を参照して説明した第７衣服のポケット２３１の構造は、曲線（ここでは略直線）の一部である開口線（図２（ｂ）中、線分Ｙ）に沿った開口を有するポケット構造であって、開口線（線分Ｙ）を２の部分に分割する開口線上の１点である分割点（ここでは一方側止部４０４（第１部分４０４ａ、第２部分４０４ｂ）の位置）と開口線（線分Ｙ）の一端（図１９中、点Ｚ１）との間の開口の部分である開放部分（ここでは開放孔５３１ｂ）は開放されると共に、分割点（一方側止部４０４の位置）から開口線（線分Ｙ）の他端（図１９中、点Ｚ２）方向との間に存する開口線（線分Ｙ）上の１点（他方側止部４０５の位置）又は開口線（線分Ｙ）の他端（図１９中、点Ｚ２）である終点（ここでは分割点（一方側止部４０４の位置）から開口線（線分Ｙ）の他端（図１９中、点Ｚ２）方向との間に存する開口線（線分Ｙ）上の１点（他方側止部４０５の位置））と、分割点（一方側止部４０４の位置）と、を両端（ここでは分割点から開口線（線分Ｙ）の他端（図１９中、点Ｚ２）方向との間に存する開口線（線分Ｙ）上の１点（他方側止部４０５の位置）である終点と、分割点（一方側止部４０４の位置）と、を両端）とする取付線に沿ってスライドファスナー４０１が取り付けられることで開口の一部（一方側止部４０４と他方側止部４０５との間）が開閉自在にされるものである、ポケット構造である。
【００７６】
そして、第７衣服のポケット２３１の構造は、スライドファスナー４０１を開閉するスライダー４０３がスライドファスナー４０１を閉じる方向（図１９中、右方向）に開放部分（開放孔５３１ｂ）が存するものである。
第７衣服のポケット２３１の構造は、スライドファスナー４０１を閉じる方向（図１９中、右方向）に存し、それ以上のスライダー４０３の移動を禁止するスライダー止め（一方側止部４０４）が開放型である。
第７衣服のポケット２３１の構造においては、前記終点（他方側止部４０５の位置）が、分割点（一方側止部４０４の位置）から開口線（線分Ｙ）の他端（図１９中、点Ｚ２）方向との間に存し、前記終点（他方側止部４０５の位置）と開口線（線分Ｙ）の他端（図１９中、点Ｚ２）との間の開口の部分も開放された開放部分（開放孔５３１ａ）である。
そして第７衣服のポケット２３１の構造においては、開放部分（開放孔５３１ａ、５３１ｂ）の縁の少なくとも一部を覆うように取り付けられた補強部材（例えば、補強布）をさらに備えるものとしてもよい。
第７衣服のポケット２３１の構造においては、開放部分（開放孔５３１ａ、５３１ｂ）の縁に沿った寸法（開口線に沿った開放部分の寸法Ｌｐ１、Ｌｐ２）が２〜６ｃｍ（ここではＬｐ１＝Ｌｐ２＝約４ｃｍ）である。
加えて、第７衣服のポケット２３１の構造においては、ここでは図示していないが図１２、図１４、図１６に示した袋１６１、袋１６２及び袋１５１と同様、スライドファスナー４０１が開閉する開口（一方側止部４０４と他方側止部４０５との間）から受け入れる収容物を収容する袋とは別の、開放部分（開放孔５３１ａ、５３１ｂ）から受け入れる収容物を収容する袋を有するものである。
このように衣服１０１の開口１０３にスライドファスナー４０１が縫いつけられて形成された図１９に示す衣服は、ポケット２３１の構造を含んでなる衣服であり、図２及び図１９に示すようにポケット２３１の構造が（右）胸ポケットに設けられている。
【符号の説明】
【００７７】
１１            第１スライドファスナー
１２ａ          第１ファスナーテープ
１２ａｄ        長縁
１２ａｆ        延長縁部
１２ａｆ１      延長縁部
１２ａｆ２      延長縁部
１２ａｔ        第１務歯
１２ｂ          第２ファスナーテープ
１２ｂｄ        長縁
１２ｂｆ        延長縁部
１２ｂｆ１      延長縁部
１２ｂｆ２      延長縁部
１２ｂｔ        第２務歯
１２ｓ          糸
１３            スライダー
１４            一方側止部
１４ａ          第１部分
１４ｂ          第２部分
１５            他方側止部
１８ａ、１８ｂ  補強布
１９            縫付糸
２１            第２スライドファスナー
３１            第３スライドファスナー
４１            第４スライドファスナー
１０１            未完成の衣服
１０３            開口
１０３ｃ          縁部
１０４            表地
１５１            袋
１６１            袋
１６２            袋
２０１            第５衣服のポケット
２２１            第６衣服のポケット
２３１            第７衣服のポケット
４０１            スライドファスナー
４０１ｃ          縁部
４０１ｄ          縁部
４０２ａ          第１ファスナーテープ
４０２ａｄ        長縁
４０２ａｔ        第１務歯
４０２ｂ          第２ファスナーテープ
４０２ｂｄ        長縁
４０２ｂｔ        第２務歯
４０３            スライダー
４０４            一方側止部
４０４ａ          第１部分
４０４ｂ          第２部分
４０５            他方側止部
４０８            縫いつけ糸
４２１            スライドファスナー
４２１ｄ          縁部
４２２ａ          第１ファスナーテープ
４２２ａｄ        長縁
４２２ａｔ        第１務歯
４２２ｂ          第２ファスナーテープ
４２２ｂｄ        長縁
４２２ｂｔ        第２務歯
４２３            スライダー
４２４            一方側止部
４２５            他方側止部
５０１            開放孔
５２１            開放孔
５３１ａ          開放孔
５３１ｂ          開放孔
【図１】
0003160990.tif 000003
【図２】
0003160990.tif 000004
【図３】
0003160990.tif 000005
【図４】
0003160990.tif 000006
【図５】
0003160990.tif 000007
【図６】
0003160990.tif 000008
【図７】
0003160990.tif 000009
【図８】
0003160990.tif 000010
【図９】
0003160990.tif 000011
【図１０】
0003160990.tif 000012
【図１１】
0003160990.tif 000013
【図１２】
0003160990.tif 000014
【図１３】
0003160990.tif 000015
【図１４】
0003160990.tif 000016
【図１５】
0003160990.tif 000017
【図１６】
0003160990.tif 000018
【図１７】
0003160990.tif 000019
【図１８】
0003160990.tif 000020
【図１９】
0003160990.tif 000021